(57)【特許請求の範囲】
【請求項１】
端末装置を利用した動画の撮像を指示するために操作される撮像操作部を、前記端末装置が表示する撮像操作部表示ステップと、
前記撮像操作部が操作されることに応じて撮像された前記動画の投稿を指示するために操作される投稿操作部を、前記端末装置が表示するステップと、
前記投稿操作部が操作されることに応じて投稿される前記動画が表示される際に該動画とともに表示される広告の対象となる商品を選択するために操作される商品選択操作部を、前記端末装置が表示する商品選択操作部表示ステップであって、前記投稿操作部が操作される前に、前記撮像操作部の表示期間と前記商品選択操作部の表示期間とを重複させる商品選択操作部表示ステップと、
前記撮像操作部の表示期間と前記商品選択操作部の表示期間とが重複している間に、前記撮像操作部及び前記商品選択操作部それぞれに対する操作を、前記端末装置が受け付ける受付ステップと、
を含むユーザインタフェース方法。
【請求項２】
前記投稿操作部が操作される前に、前記撮像操作部に対する操作及び前記商品選択操作部に対する操作の何れもが受け付けられた場合、前記撮像された動画と、前記選択された商品を識別する商品識別情報と、を関連付ける関連付けステップを更に含むことを特徴とする請求項１に記載のユーザインタフェース方法。
【請求項３】
前記撮像操作部が操作されることに応じて撮像された前記動画を動画領域に表示する撮像動画表示ステップと、
前記商品選択操作部が操作されることに応じて選択された前記商品の広告を広告領域に表示する撮像動画用広告表示ステップであって、前記広告領域を前記動画領域に重畳させる撮像動画用広告表示ステップと、
を更に含むことを特徴とする請求項１又は２に記載のユーザインタフェース方法。
【請求項４】
前記動画領域に対する前記広告領域の位置の変更操作を受け付ける変更操作受付ステップと、
前記変更操作が受け付けられたことに応じて、前記広告領域の位置を変更し、前記撮像された動画が投稿されて前記端末装置とは異なる第３端末装置により該動画が前記動画領域に表示される際における前記広告領域の位置を、変更後の前記位置に設定する変更ステップと、
を更に含むことを特徴とする請求項３に記載のユーザインタフェース方法。
【請求項５】
前記端末装置とは異なる第２端末装置から投稿された第２動画を第２動画領域に表示する投稿動画表示ステップと、
前記第２動画とともに表示される第２広告の対象として前記第２端末装置において選択された第２商品の前記第２広告を第２広告領域に表示する投稿動画用広告表示ステップであって、前記第２広告領域を前記第２動画領域に重畳させる投稿動画用広告表示ステップと、
を更に含むことを特徴とする請求項１乃至４の何れか一項に記載のユーザインタフェース方法。
【請求項６】
投稿される動画とともに表示される前記広告は、前記動画の投稿者に対して報酬が付与される成果報酬型広告であり、
前記商品選択操作部に対する操作が受け付けられた場合、前記成果報酬型広告の対象である複数の商品のうち、前記投稿される動画とともに表示される前記広告の対象の候補となる商品に関する商品情報を表示する商品情報表示ステップと、
前記商品情報が表示された商品のうち何れかの商品の選択を受け付ける商品選択受け付けステップと、
を更に含むことを特徴とする請求項１乃至５の何れか一項に記載のユーザインタフェース方法。
【請求項７】
前記複数の商品は、所定電子商店街で購入可能であり、
前記商品情報表示ステップは、前記複数の商品のうち、前記所定電子商店街における売上数が相対的に大きい商品の前記商品情報を表示することを特徴とする請求項６に記載のユーザインタフェース方法。
【請求項８】
前記商品情報表示ステップは、前記複数の商品のうち、動画広告及び投稿された動画とともに表示された広告の少なくとも何れか一方による成果達成率が相対的に高い商品の前記商品情報を表示することを特徴とする請求項６又は７に記載のユーザインタフェース方法。
【請求項９】
前記複数の商品それぞれについて、投稿された動画とともに広告が表示されることが、該広告に係る商品の提供者により許諾されているか否かを示す許諾情報を取得する取得ステップを更に備え、
前記商品情報表示ステップは、前記複数の商品のうち、許諾されていることが前記許諾情報により示される商品の前記商品情報を表示することを特徴とする請求項６乃至８の何れか一項に記載のユーザインタフェース方法。
【請求項１０】
前記投稿操作部が操作されることに応じて所定ソーシャルネットワーキングサービスに前記動画の投稿が可能であり、
前記所定ソーシャルネットワーキングサービスを利用する複数のユーザのうち、前記端末装置を利用する投稿者により動画が投稿された場合に該投稿された動画に関する情報をユーザが受け取ることができるように登録したユーザの属性を取得する属性取得ステップを更に含み、
前記商品情報表示ステップは、前記複数の商品のうち、前記取得された属性に応じた商品の前記商品情報を表示することを特徴とする請求項６乃至９の何れか一項に記載のユーザインタフェース方法。
【請求項１１】
商品を区分するための複数のカテゴリそれぞれについて、動画広告及び投稿された動画とともに表示される広告の少なくとも何れか一方である第１広告による第１成果達成率と、前記動画広告及び前記投稿された動画とともに表示される前記広告の何れとも異なる第３広告による第３成果達成率と、を取得する達成率取得ステップを更に含み、
前記商品情報表示ステップは、前記複数の商品のうち、前記第１成果達成率が前記第３成果達成率よりも高いカテゴリに属する商品の前記商品情報を表示することを特徴とする請求項６乃至１０の何れか一項に記載のユーザインタフェース方法。
【請求項１２】
前記撮像操作部が操作されることに応じて撮像された前記動画に対する画像解析結果及び音声解析結果の少なくとも何れか一方を示す解析情報を取得する解析情報取得ステップと、
前記複数の商品それぞれについて、商品に関する画像及び言葉の少なくとも何れか一方に関する商品関連情報と、前記取得された解析情報との間の適合度を算出する算出ステップと、
を更に含み、
前記商品情報表示ステップは、前記複数の商品のうち、前記適合度が相対的に高い商品の前記商品情報を表示することを特徴とする請求項６乃至１０の何れか一項に記載のユーザインタフェース方法。
【請求項１３】
前記撮像操作部が操作されることに応じて撮像された前記動画に対する画像解析結果及び音声解析結果の少なくとも何れか一方を示す解析情報を取得する解析情報取得ステップと、
前記商品選択操作部が操作されることに応じて選択された前記商品に関する画像及び言葉の少なくとも何れか一方に関する商品関連情報と、前記取得された解析情報との間の適合度を算出する算出ステップと、
前記算出された適合度を示す適合度情報を表示する適合度情報表示ステップと、
を更に含むことを特徴とする請求項６乃至１０の何れか一項に記載のユーザインタフェース方法。
【請求項１４】
端末装置のコンピュータを、
前記端末装置を利用した動画の撮像を指示するために操作される撮像操作部を表示する撮像操作部表示手段と、
前記撮像操作部が操作されることに応じて撮像された前記動画の投稿を指示するために操作される投稿操作部を表示する手段と、
前記投稿操作部が操作されることに応じて投稿される前記動画が表示される際に該動画とともに表示される広告の対象となる商品を選択するために操作される商品選択操作部を表示する商品選択操作部表示手段であって、前記投稿操作部が操作される前に、前記撮像操作部の表示期間と前記商品選択操作部の表示期間とを重複させる商品選択操作部表示手段と、
前記撮像操作部の表示期間と前記商品選択操作部の表示期間とが重複している間に、前記撮像操作部及び前記商品選択操作部それぞれに対する操作を受け付ける受付手段と、
として機能させることを特徴とする端末プログラム。
【請求項１５】
端末装置において、
前記端末装置を利用した動画の撮像を指示するために操作される撮像操作部を表示する撮像操作部表示手段と、
前記撮像操作部が操作されることに応じて撮像された前記動画の投稿を指示するために操作される投稿操作部を表示する手段と、
前記投稿操作部が操作されることに応じて投稿される前記動画が表示される際に該動画とともに表示される広告の対象となる商品を選択するために操作される商品選択操作部を表示する商品選択操作部表示手段であって、前記投稿操作部が操作される前に、前記撮像操作部の表示期間と前記商品選択操作部の表示期間とを重複させる商品選択操作部表示手段と、
前記撮像操作部の表示期間と前記商品選択操作部の表示期間とが重複している間に、前記撮像操作部及び前記商品選択操作部それぞれに対する操作を受け付ける受付手段と、
を備えることを特徴とする端末装置。
【請求項１６】
複数の端末装置と、該複数の端末装置が接続可能なサーバ装置と、を含む広告システムにおいて、
前記複数の端末装置に含まれる第１端末装置は、
前記第１端末装置を利用した動画の撮像を指示するために操作される撮像操作部を表示する撮像操作部表示手段と、
前記撮像操作部が操作されることに応じて撮像された前記動画の投稿を指示するために操作される投稿操作部を表示する手段と、
前記投稿操作部が操作されることに応じて投稿される前記動画が表示される際に該動画とともに表示される広告の対象となる商品を選択するために操作される商品選択操作部を表示する商品選択操作部表示手段であって、前記投稿操作部が操作される前に、前記撮像操作部の表示期間と前記商品選択操作部の表示期間とを重複させる商品選択操作部表示手段と、
前記撮像操作部の表示期間と前記商品選択操作部の表示期間とが重複している間に、前記撮像操作部及び前記商品選択操作部それぞれに対する操作を受け付ける受付手段と、
前記投稿操作部に対する操作が受け付けられた場合、前記撮像操作部が操作されることに応じて撮像された前記動画と、前記商品選択操作部が操作されることに応じて選択された商品を識別する商品識別情報とを、前記サーバ装置へ送信する撮像動画送信手段と、
を備え、
前記サーバ装置は、
前記第１端末装置から送信された前記動画及び前記商品識別情報を受信する撮像動画受信手段と、
前記受信された動画及び商品識別情報を関連付けて記憶手段に記憶させる記憶制御手段と、
前記記憶手段に記憶された前記動画を、前記複数の端末装置に含まれる第２端末装置へ送信する投稿動画送信手段と、
を備え、
前記第２端末装置は、
前記サーバ装置から送信された前記動画を受信する投稿動画受信手段と、
前記受信された動画に関連付けて前記記憶手段に記憶された前記商品識別情報により識別される前記商品の広告を取得する広告取得手段と、
前記受信された動画及び前記取得された広告を表示する動画表示手段と、
を備えることを特徴とする広告システム。
【発明の詳細な説明】
【技術分野】
【０００１】
本発明は、投稿された動画が再生される際に商品の広告が表示されるシステムにおいて、動画を投稿するためのユーザインタフェースに関する。
【背景技術】
【０００２】
インターネット上にユーザが投稿した動画を他のユーザが視聴することができるようにした動画共有サービスが普及してきている。このサービスを利用するユーザは、例えば撮像機能を有する携帯端末や、デジタルカメラに接続されたパーソナルコンピュータ等の端末装置を操作して、動画を撮像する。ユーザは、撮像された動画を端末装置から動画共有サービスにアップロードすることにより、動画の投稿を行う。
【０００３】
動画共有サービスにおいて投稿動画が再生される際、商品の広告が表示される場合がある。この広告が成果報酬型広告である場合、成果に対する報酬は動画の投稿者に付与される。広告の表示態様の例としては、投稿動画を再生するウェブページ上に広告が表示されたり、投稿動画再生開始時や再生途中で動画広告が再生されたりすることが挙げられる。動画が再生される際に表示される広告の対象となる商品は、例えば動画共有サービスにより予め決められていたり、自動的に決定されたりする。例えば、非特許文献１には、ユーザの興味や関心、視聴した動画等に応じて、動画に表示される広告がカスタマイズされることが開示されている。
【先行技術文献】
【非特許文献】
【０００４】
【非特許文献１】Google LLC、「動画に表示される広告 - YouTube ヘルプ」、［online］、［令和元年8月6日検索］、インターネット<URL: https://support.google.com/youtube/answer/3181017?hl=ja>
【発明の概要】
【発明が解決しようとする課題】
【０００５】
静止画や文章と比較すると、動画はより多くの情報を視聴者に印象付けることが可能である。また、動画の撮像の仕方等に応じて、視聴者に与える印象は大きく異なる。従って、撮像された動画に対して如何なる商品の広告を表示させるかという事項は、投稿者に対する報酬の多寡に大きく影響する。そうであるにもかかわらず、従来の方法においては、広告の対象となる商品が動画共有サービス側で決定されるので、当該事項について動画を撮像した投稿者による裁量の余地が乏しかった。
【０００６】
本発明は以上の点に鑑みてなされてものであり、その課題の一例は、投稿する動画とその動画とともに表示される広告の対象となる商品とを決める際の自由度を投稿者に与えうるユーザインタフェース方法、端末プログラム、端末装置、及び広告システムを提供することにある。
【課題を解決するための手段】
【０００７】
上記課題を解決するために、請求項１に記載の発明は、端末装置を利用した動画の撮像を指示するために操作される撮像操作部を、前記端末装置が表示する撮像操作部表示ステップと、前記撮像操作部が操作されることに応じて撮像された前記動画の投稿を指示するために操作される投稿操作部を、前記端末装置が表示するステップと、前記投稿操作部が操作されることに応じて投稿される前記動画が表示される際に該動画とともに表示される広告の対象となる商品を選択するために操作される商品選択操作部を、前記端末装置が表示する商品選択操作部表示ステップであって、前記投稿操作部が操作される前に、前記撮像操作部の表示期間と前記商品選択操作部の表示期間とを重複させる商品選択操作部表示ステップと、前記撮像操作部の表示期間と前記商品選択操作部の表示期間とが重複している間に、前記撮像操作部及び前記商品選択操作部それぞれに対する操作を、前記端末装置が受け付ける受付ステップと、を含むことを特徴とする。
【０００８】
この発明によれば、投稿操作部が操作される前において、撮像操作部の表示期間と商品選択操作部の表示期間とが重複している間に、撮像操作部及び商品選択操作部それぞれに対する操作が受け付けられる。従って、動画の投稿者は、先に撮像操作部を操作して動画を撮像した後に、商品選択操作部を操作して、広告の対象となる商品を選択することができる。また、投稿者は、先に商品選択操作部を操作して広告の対象となる商品を選択した後に、撮像操作部を操作して、動画を撮像することも可能である。従って、投稿する動画とその動画とともに表示される広告の対象となる商品とを決める際の自由度を投稿者に与えることができる。
【０００９】
請求項２に記載の発明は、前記投稿操作部が操作される前に、前記撮像操作部に対する操作及び前記商品選択操作部に対する操作の何れもが受け付けられた場合、前記撮像された動画と、前記選択された商品を識別する商品識別情報と、を関連付ける関連付けステップを更に含むことを特徴とする。
【００１０】
この発明によれば、投稿操作部が操作された場合に、互いに関連付けられている動画と商品識別情報とを送信すればよいので、投稿処理が簡略となる。
【００１１】
請求項３に記載の発明は、前記撮像操作部が操作されることに応じて撮像された前記動画を動画領域に表示する撮像動画表示ステップと、前記商品選択操作部が操作されることに応じて選択された前記商品の広告を広告領域に表示する撮像動画用広告表示ステップであって、前記広告領域を前記動画領域に重畳させる撮像動画用広告表示ステップと、を更に含むことを特徴とする。
【００１２】
この発明によれば、投稿者は、他のユーザが見ることになる、撮像した動画と選択した商品の広告とが重畳した状態のこれらの表示イメージを確認することができる。
【００１３】
請求項４に記載の発明は、前記動画領域に対する前記広告領域の位置の変更操作を受け付ける変更操作受付ステップと、前記変更操作が受け付けられたことに応じて、前記広告領域の位置を変更し、前記撮像された動画が投稿されて前記端末装置とは異なる第３端末装置により該動画が前記動画領域に表示される際における前記広告領域の位置を、変更後の前記位置に設定する変更ステップと、を更に含むことを特徴とする。
【００１４】
この発明によれば、動画内における広告の表示位置を、投稿者が望む位置に変更することができる。
【００１５】
請求項５に記載の発明は、前記端末装置とは異なる第２端末装置から投稿された第２動画を第２動画領域に表示する投稿動画表示ステップと、前記第２動画とともに表示される第２広告の対象として前記第２端末装置において選択された第２商品の前記第２広告を第２広告領域に表示する投稿動画用広告表示ステップであって、前記第２広告領域を前記第２動画領域に重畳させる投稿動画用広告表示ステップと、を更に含むことを特徴とする。
【００１６】
この発明によれば、他のユーザにより投稿された動画に重畳して広告が表示されるので、動画を視聴するユーザに広告を選択させやすくなる。
【００１７】
請求項６に記載の発明は、投稿される動画とともに表示される前記広告は、前記動画の投稿者に対して報酬が付与される成果報酬型広告であり、前記商品選択操作部に対する操作が受け付けられた場合、前記成果報酬型広告の対象である複数の商品のうち、前記投稿される動画とともに表示される前記広告の対象の候補となる商品に関する商品情報を表示する商品情報表示ステップと、前記商品情報が表示された商品のうち何れかの商品の選択を受け付ける商品選択受け付けステップと、を更に含むことを特徴とする。
【００１８】
この発明によれば、動画とともに表示される成果報酬型広告の対象となる商品の候補に関する情報を見た上で、投稿者は広告の対象を選択することができる。そのため、投稿者が、報酬を考慮して商品を選択することができる。
【００１９】
請求項７に記載の発明は、前記複数の商品は、所定電子商店街で購入可能であり、前記商品情報表示ステップは、前記複数の商品のうち、前記所定電子商店街における売上数が相対的に大きい商品の前記商品情報を表示することを特徴とする。
【００２０】
この発明によれば、相対的に売れやすい商品の商品情報が表示されるので、投稿者は、報酬を得やすい商品を選択することができる。
【００２１】
請求項８に記載の発明は、前記商品情報表示ステップは、前記複数の商品のうち、動画広告及び投稿された動画とともに表示された広告の少なくとも何れか一方による成果達成率が相対的に高い商品の前記商品情報を表示することを特徴とする。
【００２２】
この発明によれば、動画広告が表示される場合に、又は動画とともに広告が表示される場合に、売れやすい商品を選択することができる。
【００２３】
請求項９に記載の発明は、前記複数の商品それぞれについて、投稿された動画とともに広告が表示されることが、該広告に係る商品の提供者により許諾されているか否かを示す許諾情報を取得する取得ステップを更に備え、前記商品情報表示ステップは、前記複数の商品のうち、許諾されていることが前記許諾情報により示される商品の前記商品情報を表示することを特徴とする。
【００２４】
この発明によれば、商品の提供者により、動画とともに広告が表示されることが許可された商品から、投稿される動画とともに表示される広告の対象となる商品を選択することができる。
【００２５】
請求項１０に記載の発明は前記投稿操作部が操作されることに応じて所定ソーシャルネットワーキングサービスに前記動画の投稿が可能であり、前記所定ソーシャルネットワーキングサービスを利用する複数のユーザのうち、前記端末装置を利用する投稿者により動画が投稿された場合に該投稿された動画に関する情報をユーザが受け取ることができるように登録したユーザの属性を取得する属性取得ステップを更に含み、前記商品情報表示ステップは、前記複数の商品のうち、前記取得された属性に応じた商品の前記商品情報を表示することを特徴とする。
【００２６】
この発明によれば、投稿者が投稿する動画を視聴する蓋然性が相対的に高いユーザの属性に応じた商品の商品情報が表示されるので、投稿者は、報酬を得やすい商品を選択することができる。
【００２７】
請求項１１に記載の発明は、商品を区分するための複数のカテゴリそれぞれについて、動画広告及び投稿された動画とともに表示される広告の少なくとも何れか一方である第１広告による第１成果達成率と、前記動画広告及び前記投稿された動画とともに表示される前記広告の何れとも異なる第３広告による第３成果達成率と、を取得する達成率取得ステップを更に含み、前記商品情報表示ステップは、前記複数の商品のうち、前記第１成果達成率が前記第３成果達成率よりも高いカテゴリに属する商品の前記商品情報を表示することを特徴とする。
【００２８】
この発明によれば、動画広告及び投稿された動画とともに表示される広告のうち少なくとも何れか一方による広告による成果達成率が、それら以外の広告による成果達成率よりも高い商品の商品情報が表示される。従って、動画とともに広告が表示された場合に、動画のない広告よりも売れやすい商品を選択することができる。
【００２９】
請求項１２に記載の発明は、前記撮像操作部が操作されることに応じて撮像された前記動画に対する画像解析結果及び音声解析結果の少なくとも何れか一方を示す解析情報を取得する解析情報取得ステップと、前記複数の商品それぞれについて、商品に関する画像及び言葉の少なくとも何れか一方に関する商品関連情報と、前記取得された解析情報との間の適合度を算出する算出ステップと、を更に含み、前記商品情報表示ステップは、前記複数の商品のうち、前記適合度が相対的に高い商品の前記商品情報を表示することを特徴とする。
【００３０】
この発明によれば、撮像された動画の内容との適合性又は関連性が相対的に高い商品の商品情報が表示される。従って、動画と広告との相乗効果によって売れやすい商品を選択することができる。
【００３１】
請求項１３に記載の発明は、前記撮像操作部が操作されることに応じて撮像された前記動画に対する画像解析結果及び音声解析結果の少なくとも何れか一方を示す解析情報を取得する解析情報取得ステップと、前記商品選択操作部が操作されることに応じて選択された前記商品に関する画像及び言葉の少なくとも何れか一方に関する商品関連情報と、前記取得された解析情報との間の適合度を算出する算出ステップと、前記算出された適合度を示す適合度情報を表示する適合度情報表示ステップと、を更に含むことを特徴とする。
【００３２】
この発明によれば、撮像された動画の内容と、広告の対象として選択された商品と、の間の適合性又は関連性に応じた適合性情報が表示される。従って、投稿者は、適合性情報に基づいて、報酬を得やすくするために、動画の再撮像又は商品の再選択を行うか、或いはそのままでよいかを判断することができる。
【００３３】
請求項１４に記載の発明は、端末装置のコンピュータを、前記端末装置を利用した動画の撮像を指示するために操作される撮像操作部を表示する撮像操作部表示手段と、前記撮像操作部が操作されることに応じて撮像された前記動画の投稿を指示するために操作される投稿操作部を表示する手段と、前記投稿操作部が操作されることに応じて投稿される前記動画が表示される際に該動画とともに表示される広告の対象となる商品を選択するために操作される商品選択操作部を表示する商品選択操作部表示手段であって、前記投稿操作部が操作される前に、前記撮像操作部の表示期間と前記商品選択操作部の表示期間とを重複させる商品選択操作部表示手段と、前記撮像操作部の表示期間と前記商品選択操作部の表示期間とが重複している間に、前記撮像操作部及び前記商品選択操作部それぞれに対する操作を受け付ける受付手段と、として機能させることを特徴とする。
【００３４】
請求項１５に記載の発明は、端末装置において、前記端末装置を利用した動画の撮像を指示するために操作される撮像操作部を表示する撮像操作部表示手段と、前記撮像操作部が操作されることに応じて撮像された前記動画の投稿を指示するために操作される投稿操作部を表示する手段と、前記投稿操作部が操作されることに応じて投稿される前記動画が表示される際に該動画とともに表示される広告の対象となる商品を選択するために操作される商品選択操作部を表示する商品選択操作部表示手段であって、前記投稿操作部が操作される前に、前記撮像操作部の表示期間と前記商品選択操作部の表示期間とを重複させる商品選択操作部表示手段と、前記撮像操作部の表示期間と前記商品選択操作部の表示期間とが重複している間に、前記撮像操作部及び前記商品選択操作部それぞれに対する操作を受け付ける受付手段と、を備えることを特徴とする。
【００３５】
請求項１６に記載の発明は、複数の端末装置と、該複数の端末装置が接続可能なサーバ装置と、を含む広告システムにおいて、前記複数の端末装置に含まれる第１端末装置は、前記第１端末装置を利用した動画の撮像を指示するために操作される撮像操作部を表示する撮像操作部表示手段と、前記撮像操作部が操作されることに応じて撮像された前記動画の投稿を指示するために操作される投稿操作部を表示する手段と、前記投稿操作部が操作されることに応じて投稿される前記動画が表示される際に該動画とともに表示される広告の対象となる商品を選択するために操作される商品選択操作部を表示する商品選択操作部表示手段であって、前記投稿操作部が操作される前に、前記撮像操作部の表示期間と前記商品選択操作部の表示期間とを重複させる商品選択操作部表示手段と、前記撮像操作部の表示期間と前記商品選択操作部の表示期間とが重複している間に、前記撮像操作部及び前記商品選択操作部それぞれに対する操作を受け付ける受付手段と、前記投稿操作部に対する操作が受け付けられた場合、前記撮像操作部が操作されることに応じて撮像された前記動画と、前記商品選択操作部が操作されることに応じて選択された商品を識別する商品識別情報とを、前記サーバ装置へ送信する撮像動画送信手段と、を備え、前記サーバ装置は、前記第１端末装置から送信された前記動画及び前記商品識別情報を受信する撮像動画受信手段と、前記受信された動画及び商品識別情報を関連付けて記憶手段に記憶させる記憶制御手段と、前記記憶手段に記憶された前記動画を、前記複数の端末装置に含まれる第２端末装置へ送信する投稿動画送信手段と、を備え、前記第２端末装置は、前記サーバ装置から送信された前記動画を受信する投稿動画受信手段と、前記受信された動画に関連付けて前記記憶手段に記憶された前記商品識別情報により識別される前記商品の広告を取得する広告取得手段と、前記受信された動画及び前記取得された広告を表示する動画表示手段と、を備えることを特徴とする。
【発明の効果】
【００３６】
本発明によれば、投稿する動画とその動画とともに表示される広告の対象となる商品とを決める際の自由度を投稿者に与えることができる。
【図面の簡単な説明】
【００３７】
【図１】一実施形態に係る広告システムＳの概要構成の一例を示す図である。
【図２】一実施形態に係るユーザ端末１の概要構成の一例を示すブロック図である。
【図３】一実施形態に係る動画共有サーバ２の概要構成の一例を示すブロック図である。
【図４】動画共有サーバにおけるデータベースに記憶される情報の例を示す図である。
【図５】一実施形態に係る電子商店街サーバ３の概要構成の一例を示すブロック図である。
【図６】電子商店街サーバ３におけるデータベースに記憶される情報の例を示す図である。
【図７】（ａ）は、一実施形態に係るユーザ端末１におけるシステム制御部１１の機能ブロックの一例を示す図である。（ｂ）は、一実施形態に係る動画共有サーバ２におけるシステム制御部２１の機能ブロックの一例を示す図である。（ｃ）は、一実施形態に係る電子商店街サーバ３におけるシステム制御部３１の機能ブロックの一例を示す図である。
【図８】動画投稿管理画面１００の一例を示す図である。
【図９】商品一覧の表示例を示す図である。
【図１０】（ａ）及び（ｂ）は、広告表示領域の位置の変更例を示す図である。
【図１１】動画及び広告の表示例を示す図である。
【図１２】ユーザ端末１のシステム制御部１１による動画投稿管理ＵＩ処理の一例を示すフローチャートである。
【図１３】ユーザ端末１のシステム制御部１１による広告商品検索ＵＩ処理の一例を示すフローチャートである。
【図１４】ユーザ端末１のシステム制御部１１による広告表示位置変更ＵＩ処理の一例を示すフローチャートである。
【図１５】ユーザ端末１のシステム制御部１１による投稿動画再生ＵＩ処理の一例を示すフローチャートである。
【図１６】電子商店街サーバ３のシステム制御部３１による広告商品検索処理の一例を示すフローチャートである。
【図１７】電子商店街サーバ３のシステム制御部３１による広告商品検索処理の一例を示すフローチャートである。
【図１８】広告掲載許諾ＤＢ３４ｅに記憶される情報の一例を示す図である。
【図１９】電子商店街サーバ３のシステム制御部３１による広告商品検索処理の一例を示すフローチャートである。
【図２０】電子商店街サーバ３のシステム制御部３１による広告商品検索処理の一例を示すフローチャートである。
【図２１】電子商店街サーバ３のシステム制御部３１による広告商品検索処理の一例を示すフローチャートである。
【図２２】電子商店街サーバ３のシステム制御部３１による広告商品検索処理の一例を示すフローチャートである。
【発明を実施するための形態】
【００３８】
以下、図面を参照して本発明の実施形態について詳細に説明する。
【００３９】
［１．第１実施形態］
［１−１．広告システムの構成］
先ず、本実施形態に係る広告システムＳの構成及び機能概要について、図１を用いて説明する。図１は、本実施形態に係る広告システムＳの概要構成の一例を示す図である。
【００４０】
図１に示すように、広告システムＳは、複数のユーザ端末１と、動画共有サーバ２と、電子商店街サーバ３と、アフィリエイト管理サーバ４と、複数の店舗端末５と、を含んで構成される。ユーザ端末１〜店舗端末５は、ネットワークＮＷを介して互いに接続される。ネットワークＮＷは、例えばインターネット、専用通信回線（例えば、ＣＡＴＶ（Community Antenna Television）回線）、移動体通信網（基地局等を含む）、及びゲートウェイ等により構築されている。
【００４１】
各ユーザ端末１は、所定の動画共有サービスを利用するユーザにより利用される端末装置である。ユーザ端末１の例として、スマートフォン、タブレット式コンピュータ等の携帯情報端末、携帯電話機、ＰＤＡ（Personal Digital Assistant）、パーソナルコンピュータ、セットトップボックス等が挙げられる。ユーザ端末１は、撮像された動画を動画共有サーバ２へ送信する。また、ユーザ端末１は、動画共有サービスに投稿された動画のうち、ユーザにより選択された動画を動画共有サーバ２から受信して再生する。投稿動画の再生中、ユーザ端末１は、所定の電子商店街で販売される商品の広告を表示することがある。表示された広告をユーザが選択すると、ユーザ端末１は、例えば広告の対象である商品の商品画面を表示する。広告の対象である商品を、広告商品という。商品画面は、商品の詳細な情報（例えば、商品名、価格、商品の画像、商品の仕様や説明、配送方法等）を表示する画面である。商品画面において、ユーザはその商品の購入を選択することができる。動画を撮像して投稿する際に、ユーザは、如何なる商品の広告をその動画とともに表示させるかを選択することができる。
【００４２】
動画共有サーバ２は、上述の動画共有サービスを管理するサーバ装置である。動画共有サーバ２は、例えばユーザ端末１により撮像された動画をそのユーザ端末１から受信して記憶する。また、動画共有サーバ２は、ユーザ端末１からの要求に応じて、投稿された動画を配信する。動画共有サービスは、ＳＮＳを包含してもよい。例えば、動画共有サーバ２は、投稿動画に対してユーザが「いいね」等の評価を付けることを可能としたり、投稿動画に対するコメントの投稿を可能としたりしてもよい。また例えば、動画共有サーバ２は、ユーザが他のユーザのフォロワー等になることを可能としてもよい。或るユーザのフォロワーは、そのユーザが動画を投稿した場合に、その投稿された動画に関する情報をフォロワーが受け取ることができる。例えば、動画共有サービスのアプリケーションプログラム起動時の画面等におすすめの動画の一覧が表示されたり、フォローしたユーザの最新動画の一覧が表示されたりしてもよい。この一覧に、フォローしたユーザが投稿した動画、その動画の一部の静止画又はその動画のタイトル等が表示されてもよい。また例えば、プッシュ通知により、動画が投稿されたことを示す通知がフォロワーのユーザ端末１に表示されてもよい。なお、こうした特定のユーザからの動画投稿に関する情報提供は、フォロワー登録に限定されない。例えば、視聴者登録やチャンネル登録等であってもよい。
【００４３】
電子商店街サーバ３は、上述の電子商店街を管理するサーバ装置である。電子商店街においては、複数の店舗により複数の商品が販売される。電子商店街サーバ３は、例えばユーザ端末１からの要求に応じて、電子商店街のウェブページや画面の情報を送信する。
【００４４】
アフィリエイト管理サーバ４は、動画共有サービス及び電子商店街を利用したアフィリエイトシステム、すなわち成果報酬型広告を管理するサーバ装置である。具体的に、ユーザ端末１により投稿動画を再生中に表示されている広告をユーザが選択することに起因して、その広告の対象である商品をユーザが購入すると、アフィリエイト管理サーバ４は、動画の投稿者に対して報酬を付与する処理を実行する。なお、ユーザが広告を選択した場合に、動画の投稿者に対して報酬が付与されてもよい。
【００４５】
各店舗端末２は、電子商店街に出店した店舗の運営者により利用される端末装置である。店舗端末２の例として、タブレット式コンピュータ、パーソナルコンピュータ等が挙げられる。店舗端末２は、運営者の操作に基づいて電子商店街サーバ３へ要求を送信し、この要求に応じて電子商店街サーバ３から送信されてきたウェブページを表示する。店舗の運営者は、店舗端末２を利用して、商品ページを作成したり、広告の設定を行ったりする。
【００４６】
［１−２．装置の構成］
［１−２−１．ユーザ端末の構成］
次に、ユーザ端末１の構成について、図２を用いて説明する。図２は、本実施形態に係るユーザ端末１の概要構成の一例を示すブロック図である。図２に示すように、ユーザ端末１は、例えばシステム制御部１１と、システムバス１２と、入出力インタフェース１３と、記憶部１４と、通信部１５と、入力部１６と、表示部１７と、撮像部１８と、集音部１９と、を備えている。システム制御部１１と入出力インタフェース１３とは、システムバス１２を介して接続されている。なお、入力部１６、表示部１７、撮像部１８及び集音部１９のうち少なくとも１つは、ユーザ端末１自身が備えるのではなく、ユーザ端末１と有線又は無線を介して接続されてもよい。
【００４７】
システム制御部１１は、ＣＰＵ（Central Processing Unit）１１ａ、ＲＯＭ（Read Only Memory）１１ｂ、ＲＡＭ（Random Access Memory）１１ｃ等により構成されている。
【００４８】
入出力インタフェース１３は、記憶部１４〜集音部１９とシステム制御部１１との間のインタフェース処理を行う。
【００４９】
記憶部１４は、例えば、フラッシュメモリ又はハードディスクドライブ等により構成されている。この記憶部１４には、オペレーティングシステム、ブラウザ等の各種プログラムが記憶されている。更に記憶部１４には、動画共有サービスを利用するための専用のアプリケーションプログラムが記憶されてもよい。以降、この専用のアプリケーションプログラムを、専用アプリと称する。専用アプリに従って、システム制御部１１は、動画の撮像、投稿及び再生、広告選択等に関する処理を実行する。専用アプリは、例えば、動画共有サーバ２等のサーバ装置からネットワークＮＷを介して取得されるようにしてもよいし、光ディスク、メモリカード等の記録媒体に記録されてドライブ装置を介して読み込まれるようにしてもよい。なお、ブラウザを介したウェブアプリケーション等により、専用アプリの機能の一部又は全部と同等の機能が実現されてもよい。
【００５０】
通信部１５は、例えばネットワークインタフェースカード等により構成されている。通信部１５は、ネットワークＮＷを介して、動画共有サーバ２や電子商店街サーバ３と接続し、これらの装置との通信状態を制御する。
【００５１】
入力部１６は、例えばタッチパネル、マウス又はキーボード等により構成されている。入力部１６は、ユーザに対する操作や入力を受け付け、受け付けた操作又は入力を示す信号をシステム制御部１１へ送信する。
【００５２】
表示部１７は、例えば液晶パネル又は有機ＥＬ（Electro Luminescence）パネル等により構成されている。表示部１７は、システム制御部１１による制御に基づき、文字、静止画、動画等の情報を表示する。
【００５３】
撮像部１８は、デジタルカメラ等により構成されている。撮像部１８は、ユーザによる操作に基づいて動画を撮像する。撮像部１８は、撮像された動画を示す動画データをシステム制御部１１又は記憶部１４に出力する。
【００５４】
集音部１９は、マイクロフォン等により構成されている。集音部１９は、発せられた音を音声信号に変換し、音声信号をシステム制御部１１又は記憶部１４に出力する。
【００５５】
［１−２−２．動画共有サーバの構成］
次に、動画共有サーバ２の構成について、図３及び図４を用いて説明する。図３は、本実施形態に係る動画共有サーバ２の概要構成の一例を示すブロック図である。図３に示すように、動画共有サーバ２は、システム制御部２１と、システムバス２２と、入出力インタフェース２３と、記憶部２４と、通信部２５と、を備えている。システム制御部２１と入出力インタフェース２３とは、システムバス２２を介して接続されている。
【００５６】
システム制御部２１は、ＣＰＵ２１ａ、ＲＯＭ２１ｂ、ＲＡＭ２１ｃ等により構成されている。
【００５７】
入出力インタフェース２３は、記憶部２４及び通信部２５とシステム制御部２１との間のインタフェース処理を行う。
【００５８】
記憶部２４は、例えば、ハードディスクドライブ等により構成されている。この記憶部２４には、動画ＤＢ２４ａ、フォロワーＤＢ２４ｂ等のデータベースが記憶されている。「ＤＢ」は、データベースの略語である。図４は、動画共有サーバにおけるデータベースに記憶される情報の例を示す図である。
【００５９】
動画ＤＢ２４ａには、投稿動画が、動画が投稿されるごとに記憶される。具体的に、動画ＤＢ２４ａには、動画ＩＤ、ユーザＩＤ、タイトル及び動画データ等が関連付けて記憶される。動画ＩＤは、投稿動画を識別する識別情報である。ユーザＩＤは、動画を投稿したユーザを、動画共有サービスのユーザの中から識別する識別情報である。動画データは、投稿動画のデータである。動画データのコンテナフォーマットは、例えばＭＰＥＧ−４等であってもよい。投稿動画とともに広告を表示するように動画の投稿者が選択した場合、動画ＤＢ２４ａには、更に広告商品ＩＤ及び広告表示位置情報等が、動画ＩＤ等と関連付けて記憶される。広告商品ＩＤは、広告の対象として選択された商品を、電子商店街で販売される商品の中から識別する識別情報である。広告表示位置情報は、ユーザ端末１により再生される投稿動画の表示領域において、広告が表示される位置を示す情報である。
【００６０】
フォロワーＤＢ２４ｂには、各ユーザのフォロワーに関する情報が記憶される。具体的に、フォロワーＤＢ２４ｂには、ユーザＩＤと、フォロワーリストとが関連付けて記憶される。ユーザＩＤは、フォローされるユーザを示す。フォロワーリストは、フォロワーを示すユーザＩＤのリストである。
【００６１】
記憶部２４には、更に、オペレーティングシステム、ＤＢＭＳ（Database Management System）、動画共有サーバプログラム等の各種プログラムが記憶されている。動画共有サーバプログラムは、投稿動画の登録や配信等、動画共有サービスに関する処理をシステム制御部２１に実行させるプログラムである。動画共有サーバプログラムは、例えば、他のサーバ装置からネットワークＮＷを介して取得されるようにしてもよいし、磁気テープ、光ディスク、メモリカード等の記録媒体に記録されてドライブ装置を介して読み込まれるようにしてもよい。
【００６２】
通信部２５は、例えばネットワークインタフェースカード等により構成されている。通信部２５は、ネットワークＮＷを介して、ユーザ端末１、電子商店街サーバ３、アフィリエイト管理サーバ４等と接続し、これらの装置との通信状態を制御する。
【００６３】
［１−２−３．電子商店街サーバの構成］
次に、電子商店街サーバ３の構成について、図５及び図６を用いて説明する。図５は、本実施形態に係る電子商店街サーバ３の概要構成の一例を示すブロック図である。図５に示すように、電子商店街サーバ３は、システム制御部３１と、システムバス３２と、入出力インタフェース３３と、記憶部３４と、通信部３５と、を備えている。システム制御部３１と入出力インタフェース３３とは、システムバス３２を介して接続されている。
【００６４】
システム制御部３１は、ＣＰＵ３１ａ、ＲＯＭ３１ｂ、ＲＡＭ３１ｃ等により構成されている。
【００６５】
入出力インタフェース３３は、記憶部３４及び通信部３５とシステム制御部３１との間のインタフェース処理を行う。
【００６６】
記憶部３４は、例えば、ハードディスクドライブ等により構成されている。この記憶部３４には、会員ＤＢ３４ａ、商品ＤＢ３４ｂ、広告ＤＢ３４ｃ、購入利益ＤＢ３４ｄ等のデータベースが記憶されている。図６は、電子商店街サーバ３におけるデータベースに記憶される情報の例を示す図である。
【００６７】
会員ＤＢ３４ａには、電子商店街のユーザに関するユーザ情報が、ユーザごとに記憶される。具体的に、会員ＤＢ３４ａには、ユーザ情報として、ユーザＩＤ、ユーザの氏名、性別、生年月日、住所、ユーザ属性情報等が関連付けて記憶される。ユーザＩＤは、電子商店街においてユーザを識別する識別情報である。同一ユーザであっても、電子商店街で付与されるユーザＩＤと、動画共有サイトで付与されるユーザＩＤとは異なってもよい。ユーザ属性情報は、ユーザの属性を示す情報である。このユーザ属性情報は、ユーザ自身が入力した属性（例えば性別、生年月日、住所等）とは別に、電子商店街におけるユーザの行動に基づいて電子商店街サーバ３が自動的に特定した属性を示す情報である。例えば、電子商店街サーバ３は、所定のタイミングで、商品の購入履歴等のユーザの行動履歴を解析してもよい。そして、電子商店街サーバ３は、例えば特定の商品が好き、特定のカテゴリの商品が好き、特定のメーカの商品が好き、特定の店舗が好き等を示すユーザ属性情報を会員ＤＢ３４ａに記憶させてもよい。１人のユーザについて複数のユーザ属性情報が記憶されてもよい。
【００６８】
商品ＤＢ３４ｂには、電子商店街で販売される商品に関する商品情報が、商品ごとに記憶される。具体的に、商品ＤＢ３４ｂには、商品情報として、商品ＩＤ、店舗ＩＤ、カテゴリＩＤ、商品名、価格、適応ユーザ属性情報等が関連付けて記憶される。商品ＩＤは、商品を識別する識別情報である。店舗ＩＤは、商品の販売元の店舗を識別する識別情報である。カテゴリＩＤは、複数のカテゴリのうち、商品が属するカテゴリを識別する識別情報である。適応ユーザ属性情報は、商品が如何なる属性のユーザに適応するかを示す。具体的に、適応ユーザ属性情報は、１の属性又は複数の属性の組み合わせを示す。ユーザの属性の例として、性別、年齢、年代、住所地（例えば都道府県等）等が挙げられる。例えば、電子商店街サーバ３は、所定のタイミングで、商品の購入履歴等のユーザの行動履歴を解析してもよい。そして、電子商店街サーバ３は、特定の属性又は属性の組み合わせを有するユーザが対象の商品を購入する傾向がある場合に、その属性又は属性の組み合わせを示す適応ユーザ属性情報を商品ＤＢ３４ｂに記憶させてもよい。１個の商品について複数の適応ユーザ属性情報が記憶されてもよい。
【００６９】
広告ＤＢ３４ｃには、電子商店街で販売される商品の広告に関する広告情報が、広告が露出する商品ごとに記憶される。具体的に、広告ＤＢ３４ｃには、広告情報として、広告ＩＤ、商品ＩＤ及び広告コンテンツ等が関連付けて記憶される。広告ＩＤは、広告を識別する識別情報である。商品ＩＤは、広告の対象となる商品を識別する識別情報である。広告コンテンツは、広告としてユーザ端末１に表示されるコンテンツである。広告コンテンツは、例えば静止画、動画又はテキスト等のコンテンツであってもよいし、これらのコンテンツのうち２以上のコンテンツの組み合わせであってもよい。
【００７０】
購入履歴ＤＢ３４ｄには、電子商店街におけるユーザによる商品の購入履歴が記憶される。何れかのユーザが商品を購入するごとに、購入履歴を構成する購入ログが購入履歴ＤＢ３４ｄに記憶される。具体的に、購入履歴ＤＢ３４ｄには、購入ログとして、ユーザＩＤ、商品ＩＤ、購入日時等が関連付けて記憶される。ユーザＩＤは、商品を購入したユーザを示す。商品ＩＤは、購入された商品を示す。購入日時は、商品が購入された日時を示す。
【００７１】
記憶部３４には、更に、オペレーティングシステム、ＤＢＭＳ、電子商店街サーバプログラム等の各種プログラムが記憶されている。電子商店街サーバプログラムは、電子商店街における商品の情報や広告の配信、商品の取引等、電子商店街に関する処理をシステム制御部３１に実行させるプログラムである。電子商店街サーバプログラムは、例えば、他のサーバ装置からネットワークＮＷを介して取得されるようにしてもよいし、磁気テープ、光ディスク、メモリカード等の記録媒体に記録されてドライブ装置を介して読み込まれるようにしてもよい。
【００７２】
通信部３５は、例えばネットワークインタフェースカード等により構成されている。通信部３５は、ネットワークＮＷを介して、ユーザＩＤは、ユーザ端末１、動画共有サーバ２、アフィリエイト管理サーバ４等と接続し、これらの装置との通信状態を制御する。
【００７３】
［１−３．装置の機能概要］
［１−３−１．ユーザ端末］
次に、図７（ａ）、及び図８乃至図１１を用いて、ユーザ端末１におけるシステム制御部１１の機能概要について説明する。図７（ａ）は、本実施形態に係るユーザ端末１におけるシステム制御部１１の機能ブロックの一例を示す図である。システム制御部１１は、ＣＰＵ１１ａが、専用アプリに含まれる各種プログラムコードを読み出し実行することにより、図７（ａ）に示すように、撮像ボタン表示部１１０１、投稿ボタン表示部１１０２、広告商品選択ボタン表示部１１０３、ボタン操作受付部１１０４、撮像制御部１１０５、商品情報表示部１１０６、広告商品選択受付部１１０７、関連付け部１１０８、動画再生部１１０９、広告表示部１１１０、広告表示位置変更部１１１１、投稿部１１１２等として機能する。
【００７４】
図８は、動画投稿管理画面１００の一例を示す図である。動画投稿管理画面１００は、専用アプリにおいて、動画の撮像及び投稿、並びに広告の対象となる商品の選択等を管理するために、表示部１７に表示される画面である。図８に示すように、動画投稿管理画面１００は、動画領域１１０、撮像ボタン１２０、投稿ボタン１３０、広告商品選択ボタン１４０等を含む。動画領域１１０は、撮像中の動画が表示される領域である。撮像ボタン１２０は、ユーザ端末１を利用した動画の撮像を指示するためにユーザが操作可能な画像要素である。投稿ボタン１３０は、撮像ボタン１２０が操作されることに応じて撮像された動画の投稿を指示するためにユーザが操作可能な画像要素である。広告商品選択ボタン１３０は、投稿ボタン１３０が操作されることに応じて投稿される動画が表示される際に、この動画とともに表示される広告の対象となる商品を選択するために、ユーザが操作可能な画像要素である。
【００７５】
撮像ボタン表示部１１０１は、撮像ボタン１２０を動画投稿管理画面に表示する。投稿ボタン表示部１１０２は、投稿ボタン１３０を動画投稿管理画面に表示する。広告商品選択ボタン表示部１１０３は、広告商品選択ボタン１４０を動画投稿管理画面に表示する。ここで、広告商品選択ボタン表示部１１０３は、投稿ボタン１３０が操作される前に、撮像ボタン１２０の表示期間と商品選択ボタン１４０の表示期間とを重複させる。表示期間は、ボタンの表示が継続する期間である。広告商品選択ボタン表示部１１０３は、例えば、撮像ボタン１２０の表示期間と商品選択ボタン１４０の表示期間とを一致させてもよい。或いは、広告商品選択ボタン表示部１１０３は、撮像ボタン１２０の表示期間の少なくとも一部と、商品選択ボタン１４０の表示期間の少なくとも一部と、を一致させてもよい。具体例として、撮像ボタン１２０、広告商品選択ボタン１４０、及び投稿ボタン１３０の全てが同時に表示されてもよい。或いは、撮像ボタン１２０と広告商品選択ボタン１４０が先に表示され、撮像ボタン１２０がユーザにより操作されることにより動画が撮像された後に、投稿ボタン１３０が表示されてもよい。
【００７６】
撮像ボタン表示部１１０１、投稿ボタン表示部１１０２及び広告商品選択ボタン表示部１１０３により表示される上述の画像要素の形態はボタンに限られない。例えば、キー、スイッチ、アイコン等の形態で、画像要素が表示されてもよい。
【００７７】
ボタン操作受付部１１０４は、撮像ボタン１２０、投稿ボタン１３０、広告商品選択ボタン１４０等の画像要素に対するユーザの操作を受け付ける。ボタン操作受付部１１０４は、タッチパネルやマウス等の入力部１６を用いた入力操作を監視して、表示部１７の画面内において如何なる画像要素が操作されたかを判定する。ここで、ボタン操作受付部１１０４は、撮像ボタン１２０の表示期間と広告商品選択ボタン１４０の表示期間とが重複している間に、撮像ボタン１２０及び広告商品選択ボタン１４０それぞれに対する操作を受け付ける。すなわち、ボタン操作受付部１１０４は、撮像ボタン１２０及び広告商品選択ボタン１４０のうち何れの方が先に操作されるかに関係なく、撮像ボタン１２０及び広告商品選択ボタン１４０それぞれに対する操作を受け付ける。撮像ボタン表示部１１０１、投稿ボタン表示部１１０２及び広告商品選択ボタン表示部１１０３によるボタンの表示と、ボタン操作受付部１１０４による操作の受け付けとにより、動画の投稿前において、その動画の撮像と、広告商品の選択と、の順序をユーザが自由に決定することを可能とするユーザインタフェースが提供される。すなわち、ユーザは、広告商品の選択よりも前に動画の撮像を行ってもよし、動画の撮像よりも前に広告商品の選択を行ってもよい。
【００７８】
ボタン操作受付部１１０４は、撮像ボタン１２０がユーザにより操作されることにより動画が撮像された後は、投稿ボタン表示部１１０２に対するユーザ操作を受け付け可能とする。従って、ユーザが広告商品選択ボタン１４０を操作して広告商品を選択するか否かに関わらず、撮像された動画の投稿は可能である。また、ボタン操作受付部１１０４は、撮像ボタン１２０がユーザにより操作されることにより動画が撮像された後、撮像ボタン１２０に対する操作を再度受け付けてもよい。この場合、投稿される動画が、後から撮像された動画に変更される。また、ボタン操作受付部１１０４は、広告商品選択ボタン１４０がユーザにより操作されることにより広告商品が選択された後、広告商品選択ボタン１４０に対する操作を再度受け付けてもよい。この場合、広告商品が、後から選択された商品に変更される。
【００７９】
撮像制御部１１０５は、撮像ボタン１２０に対する操作がボタン操作受付部１１０４により受け付けられた場合、ユーザ端末１を利用した動画の撮像を実行させる。ユーザ端末１を利用した動画の撮像とは、撮像制御部１１０５が撮像部１８を制御して、撮像部１８により動画を撮像させることであってもよい。撮像制御部１１０５は、撮像部１８により動画を撮像させるとともに、集音部１９を用いて録音してもよい。そして、撮像制御部１１０５は、録音された音を含む動画を生成してもよい。上述したように、ユーザ端末１自身が撮像部１８及び集音部１９を備えてもよいし、ユーザ端末１と撮像部１８及び集音部１９とが有線又は無線を介して接続されてもよい。撮像制御部１１０５は、撮像された動画のデータを記憶部１４に記憶させる。
【００８０】
商品情報表示部１１０６は、商品選択ボタン１４０に対する操作がボタン操作受付部１１０４により受け付けられた場合、広告の対象である複数の商品のうち、投稿される動画とともに表示される広告の対象の候補となる商品に関する商品情報を表示部１７に表示する。広告商品の候補は、電子商店街で販売される商品であってもよい。商品情報表示部１１０６は、例えば電子商店街サーバ３から広告商品の候補のリストを受信し、このリストに基づいて、商品一覧を表示する。商品情報表示部１１０６は、ユーザによる商品の検索条件の指定を可能とさせてもよい。検索条件の例として、キーワード、商品のカテゴリ、その他の商品の属性等が挙げられる。
【００８１】
図９は、商品一覧の表示例を示す図である。図９に示すように、動画投稿管理画面１００において、ユーザが指５００で広告選択ボタン１４０を操作する。これに応じて、商品情報表示部１１０６は、広告商品検索画面２００を表示部１７に表示する。広告商品検索画面２００は、例えばキーワード入力欄２１０、検索ボタン２２０等を含む。キーワード入力欄２１０は、検索条件としてのキーワードが入力される領域である。検索ボタン２２０は、電子商店街サーバ３に商品の検索を実行させるためのボタンである。ユーザが、キーワード入力欄２１０にキーワードを入力して、検索ボタン２２０を操作する。すると、商品情報表示部１１０６は、電子商店街サーバ３に対して検索要求を送信する。商品情報表示部１１０６は、この検索要求に応じて電子商店街サーバ３から送信されてきた検索結果リストに基づいて、広告商品検索画面２００に商品一覧２３０を表示させる。商品一覧２３０は、少なくとも一の商品情報２３１を含む。商品情報２３１は、特定の商品に関する情報である。商品情報２３１は、例えば商品名、商品の画像、価格等を含んでもよい。商品一覧２３０は、ユーザ操作によりスクロール可能であってもよい。
【００８２】
広告商品選択受付部１１０７は、商品情報表示部１１０６により表示部１７に商品情報２３１が表示された商品のうち何れかの商品の選択を受け付ける。例えば、広告商品選択受付部１１０７は、入力部１６を用いた入力操作を監視して、商品一覧２３０において何れの商品情報２３１が選択されたかを判定する。広告商品選択受付部１１０７は、選択された商品情報２３１が対応する商品の商品ＩＤを、記憶部１４又はＲＡＭ１１ｃに記憶させる。
【００８３】
関連付け部１１０８は、投稿ボタン１３０が操作される前に、撮像ボタン１２０に対する操作及び広告商品選択ボタン１４０に対する操作の何れもが受け付けられた場合、撮像された動画と、選択された広告商品を識別する商品ＩＤとを、関連付ける。これにより、ユーザ端末１は、動画を投稿する際に、如何なる動画と如何なる広告商品の商品ＩＤとを関連付けて動画共有サーバ２へ送信するかを容易に判定することができる。例えば、関連付け部１１０８は、撮像された動画のファイル名と商品ＩＤとを格納する構造体型のデータをＲＡＭ１１ｃ等に記憶させることにより、関連付けを行ってもよい。なお、過去所定期間内に撮像された複数の動画及び所定期間内に選択された複数の広告商品の商品ＩＤが記憶部１４等に記憶されてもよい。そして、関連付け部１１０８は、ユーザによる選択操作に基づいて、何れの動画と何れの商品とを関連付けるかを決定してもよい。
【００８４】
動画再生部１１０９は、撮像ボタン１２０が操作されることに応じて撮像された動画を所定の動画領域に表示する。
【００８５】
広告表示部１１１０は、広告商品選択ボタン１４０が操作されることに応じて選択された商品の広告を所定の広告領域に表示する。このとき、広告表示部１１１０は、広告領域を動画領域に重畳させる。これにより、撮像された動画が投稿されて、その動画が他のユーザのユーザ端末１に表示される際における動画及び広告の表示イメージを、動画の投稿をしようとするユーザが確認することができる。
【００８６】
広告表示位置変更部１１１１は、動画及び広告が表示されているとき、動画領域に対する広告領域の位置の変更操作を受け付ける。例えば、広告表示位置変更部１１１１は、入力部１６を用いた入力操作を監視して、ユーザによる広告領域の移動を検出する。広告表示位置変更部１１１１は、この変更操作が受け付けられたことに応じて、広告領域の位置を変更する。そして、広告表示位置変更部１１１１は、撮像された動画が投稿されて、動画を撮像したユーザ端末１とは異なるユーザ端末１によりその動画が動画領域に表示される際における広告領域の位置を、変更後の位置に設定する。これにより、広告の表示位置を動画の投稿者が自由に決定することができる。なお、広告の表示タイミングや広告の表示サイズ等をユーザが設定又は変更が可能なように、システム制御部１１が構成されてもよい。また、広告の表示位置の変更は可能でなくてもよい。
【００８７】
図１０（ａ）及び図１０（ｂ）は、広告表示領域の位置の変更例を示す図である。例えば、動画が撮影済みであり且つ広告商品が選択済みである状態で、ユーザ端末１は、ユーザの操作に基づいて、図１０（ａ）に示すように、広告表示位置変更画面３００を表示部１７に表示させてもよい。広告表示位置変更画面３００は、動画領域３１０、広告領域３２０等を含む。動画領域３１０には、撮像された動画が表示される。広告領域３２０は、ユーザにより選択された商品の広告が表示される。広告領域３２０は、動画領域３１０に重畳して表示される。ここで、ユーザが指５００で広告領域３２０を選択して、指５００を画面上で移動させる。すると、図１０（ｂ）に示すように、指５００の移動に応じて広告領域３２０が移動する。
【００８８】
広告領域３２０の初期位置は予め定められていてもよい。或いは、ユーザ端末１、動画共有サーバ２又は電子商店街サーバ３により、自動的に初期位置が決定されてもよい。例えば、動画に人間が映っている場合がある。この場合、動画再生中に広告領域３２０が人間に重なる時間が最短になるように、初期位置が決定されてもよい。或いは、広告領域３２０が、人間の上半身又は顔等に重なる時間が最短になるように、初期位置が決定されてもよい。画像認識により、動画から人間を特定することが可能である。また、例えば動画に広告商品と同一又は類似する商品が映っている場合がある。この場合、広告領域３２０がその商品に重なる時間が最短になるように、初期位置が決定されてもよい。広告商品の画像に基づく画像認識により、動画から広告商品と同一又は類似する商品を特定することが可能である。
【００８９】
投稿部１１１２は、撮像ボタン１２０が操作されることに応じて撮像された動画を投稿する。具体的に、投稿部１１１２は、撮像された動画のデータを含む投稿動画登録要求を、動画共有サーバ２へ送信する。関連付け部１１０８により動画と広告商品の商品ＩＤとが関連付けられている場合、投稿部１１１２は、これらの動画及び商品ＩＤを動画共有サーバ２へ送信する。このとき、投稿部１１１２は、広告の表示位置を示す広告表示位置情報も動画共有サーバ２へ送信してもよい。なお、投稿部１１１２は、如何なる動画と如何なる広告商品の商品ＩＤとが関連付けられているかを示す情報を、ユーザによる確認のために表示してもよい。そして、ユーザが確認した旨の操作を行ったときに、投稿の処理を実行してもよい。また、ユーザによる確認の際に、投稿する動画の再撮像、及び広告商品の再選択のうち少なくとも一方が可能であってもよい。
【００９０】
上述したように、動画の撮像と、広告商品の選択と、の順序をユーザが自由に決定して、投稿を行うことができる。第１のパターンとして、最初に、ユーザは撮像ボタン１２０を操作して、動画を撮像する。次に、ユーザは商品選択ボタン１４０を操作して、広告商品検索画面２００において、広告商品を選択する。すると、撮像された動画と選択された広告商品の商品ＩＤが関連付けられる。そして、ユーザは投稿ボタン１３０を操作して、互いに関連付けられた動画のデータと商品ＩＤとを動画共有サーバ２へ送信する。第２のパターンとして、最初に、ユーザは商品選択ボタン１４０を操作して、広告商品検索画面２００において、広告商品を選択する。次に、ユーザは撮像ボタン１２０を操作して、動画を撮像する。すると、撮像された動画と選択された広告商品の商品ＩＤが関連付けられる。そして、ユーザは投稿ボタン１３０を操作して、互いに関連付けられた動画のデータと商品ＩＤとを動画共有サーバ２へ送信する。
【００９１】
投稿動画の投稿者以外のユーザがその投稿動画を視聴する場合、動画再生部１１０９は、投稿動画を所定の動画領域に表示する。例えば、動画再生部１１０９は、ストリーミングにより動画共有サーバ２から動画のデータをダウンロードしながら、その動画を再生する。
【００９２】
広告表示部１１１０は、投稿動画とともに表示される広告の対象として投稿者のユーザ端末１において選択された広告商品の広告を所定の広告領域に表示する。このとき、広告表示部１１１０は、広告領域を動画領域に重畳させる。これにより、動画が表示されているときに、広告がユーザにより選択されやすくなる。例えば、広告表示部１１１０は、投稿動画の再生を開始する際に、広告商品の商品ＩＤを動画共有サーバ２から受信してもよい。広告表示部１１１０は、受信された商品ＩＤに基づいて、電子商店街サーバ３へ広告要求を送信してもよい。広告表示部１１１０は、広告要求に応じて電子商店街サーバ３から送信されてきた広告コンテンツを表示する。広告表示部１１１０は、例えば広告商品の商品ＩＤとともに、広告表示位置情報を動画共有サーバ２から受信してもよい。そして、広告表示部１１１０は、広告表示位置情報に基づいて、広告領域の位置を決定してもよい。
【００９３】
図１１は、動画及び広告の表示例を示す図である。例えば、ユーザにより何れかの投稿動画が選択されると、ユーザ端末１は、図１１に示すように、投稿動画再生画面４００を表示部１７に表示させる。投稿動画再生画面４００は、動画領域４１０、広告領域４２０等を含む。動画領域４１０には、投稿動画が表示される。広告領域４２０は、投稿者により選択された商品の広告が表示される。広告領域４２０は、動画領域４１０に重畳して表示される。動画領域４１０内における広告領域４２０の位置は、広告表示位置変更画面３００において投稿者により変更された、広告領域３２０の位置と一致する。
【００９４】
ユーザにより広告領域４２０内の広告が選択されると、ユーザ端末１は、広告商品の商品画面を表示部１７に表示させる。上述したように、商品画面において、ユーザは広告商品の購入を選択することができる。また、ユーザ操作により、投稿動画再生画面４００から広告領域４２０及び広告を消去させることも可能である。
【００９５】
［１−３−２．動画共有サーバ］
次に、図７（ｂ）を用いて、動画共有サーバ２におけるシステム制御部２１の機能概要について説明する。図７（ｂ）は、本実施形態に係る動画共有サーバ２におけるシステム制御部２１の機能ブロックの一例を示す図である。システム制御部２１は、ＣＰＵ２１ａが、動画共有サーバプログラムに含まれる各種プログラムコードを読み出し実行することにより、図７（ｂ）に示すように、動画登録部２１０１、動画配信部２１０２等として機能する。
【００９６】
動画登録部２１０１は、ユーザ端末１において投稿ボタン１３０が操作されることによりユーザ端末１から送信されてきた動画データを、動画ＤＢ２４ａに記憶させる。ユーザ端末１から動画データとともに広告商品ＩＤが送信されてきた場合、動画登録部２１０１は、動画データに関連付けてその広告商品ＩＤを動画ＤＢ２４ａに記憶させる。ユーザ端末１から広告表示位置情報が更に送信されてきた場合、動画登録部２１０１は、動画データに関連付けてその広告表示位置情報を更に動画ＤＢ２４ａに記憶させる。
【００９７】
動画配信部２１０２は、動画ＤＢ２４ａに記憶された動画データを、ユーザ端末１からの要求に応じて配信する。ユーザ端末１から要求された動画データに関連付けて商品広告ＩＤが動画ＤＢ２４ａに記憶されている場合、動画配信部２１０２は、その商品広告ＩＤもユーザ端末１へ送信する。動画データに関連付けて広告表位置情報が更に動画ＤＢ２４ａに記憶されている場合、動画配信部２１０２は、更にその広告表位置情報もユーザ端末１へ送信する。
【００９８】
［１−３−３．電子商店街サーバ］
次に、図７（ｃ）を用いて、電子商店街サーバ３におけるシステム制御部３１の機能概要について説明する。図７（ｃ）は、本実施形態に係る電子商店街サーバ３におけるシステム制御部３１の機能ブロックの一例を示す図である。システム制御部３１は、ＣＰＵ３１ａが電子商店街サーバプログラムに含まれる各種プログラムコードを読み出し実行することにより、図７（ｃ）に示すように、商品検索部３１０１、商品情報提供部３１０２、広告配信部３１０３等として機能する。
【００９９】
商品検索部３１０１は、ユーザ端末１からの検索要求に応じて、ユーザ端末１から投稿される動画とともに表示される広告の対象の候補となる商品を、商品ＤＢ３４ｂ等のデータベースから検索する。例えば、検索要求が検索条件を含む場合、商品検索部３１０１は、その検索条件に合致する商品を検索してもよい。
【０１００】
商品情報提供部３１０２は、商品検索部３１０１により検索された商品の情報を、ユーザ端末１へ送信する。例えば、商品情報提供部３１０２は、検索された商品ごとに、商品名、商品の画像、価格等を、ユーザ端末１へ送信してもよい。
【０１０１】
広告配信部３１０３は、広告表示位置変更画面３００又は投稿動画再生画面４００を表示しているユーザ端末１からの広告要求に応じて、広告をユーザ端末１へ送信する。例えば、広告配信部３１０３は、広告要求に含まれる広告商品ＩＤに関連付けられた広告コンテンツを、広告ＤＢ３４ｃから取得する。広告配信部３１０３は、取得された広告コンテンツを送信する。
【０１０２】
［１−４．広告システムの動作］
次に、広告システムＳにおけるユーザ端末１の動作について、図１２乃至図１５を用いて説明する。ユーザ端末１のシステム制御部１１は、専用アプリに含まれるプログラムコードに従って、図１２乃至図１５に示す処理を実行する。
【０１０３】
図１２は、ユーザ端末１のシステム制御部１１による動画投稿管理ＵＩ処理の一例を示すフローチャートである。例えば、ユーザにより、動画投稿管理画面１００の表示が選択されると、動画投稿管理ＵＩ処理が実行されてもよい。
【０１０４】
図１２に示すように、撮像ボタン表示部１１０１は、動画投稿管理画面１００を表示するとともに、撮像ボタン１２０を動画投稿管理画面１００に表示する（ステップＳ１０１）。投稿ボタン表示部１１０２は、投稿ボタン１３０を動画投稿管理画面１００に表示する（ステップＳ１０２）。商品選択ボタン表示部１１０３は、商品選択ボタン１４０を動画投稿管理画面１００に表示する（ステップＳ１０３）。
【０１０５】
次いで、ボタン操作受付部１１０４は、撮像ボタン１２０がユーザにより操作されたか否かを判定する（ステップＳ１０４）。撮像ボタン１２０が操作された場合（ステップＳ１０４：ＹＥＳ）、撮像制御部１１０５は、動画撮像処理を実行する（ステップＳ１０５）。動画撮像処理において、撮像制御部１１０５は、撮像部１８により動画を撮像させて、撮像された動画のデータを記憶部１４に記憶させる。次いで、関連付け部１１０８は、広告商品が選択済みであるか否かを判定する（ステップＳ１０６）。広告商品が選択済みである場合（ステップＳ１０６：ＹＥＳ）、関連付け部１１０８は、撮像された動画と、選択された商品の広告商品ＩＤとを関連付ける（ステップＳ１０７）。広告商品が選択済みではない場合（ステップＳ１０６：ＮＯ）、又はステップＳ１０７が終わった後、処理はステップＳ１０１に進む。
【０１０６】
ステップＳ１０４において、撮像ボタン１２０が操作されなかった場合（ステップＳ１０４：ＮＯ）、ボタン操作受付部１１０４は、広告選択ボタン１４０がユーザにより操作されたか否かを判定する（ステップＳ１０８）。広告選択ボタン１４０が操作された場合（ステップＳ１０８：ＹＥＳ）、広告商品選択受付部１１０７は、後述する商品選択ＵＩ処理を実行する（ステップＳ１０９）。次いで、関連付け部１１０８は、動画が撮像済みであるか否かを判定する（ステップＳ１１０）。動画が撮像済みである場合（ステップＳ１１０：ＹＥＳ）、関連付け部１１０８は、撮像された動画と、商品選択ＵＩ処理を通じて選択された商品の広告商品ＩＤとを関連付ける（ステップＳ１０７）。動画が撮像済みではない場合（ステップＳ１１０：ＮＯ）、又はステップＳ１０７が終わった後、処理はステップＳ１０１に進む。
【０１０７】
ステップＳ１０８において、広告選択ボタン１４０が操作されなかった場合（ステップＳ１０８：ＮＯ）、ボタン操作受付部１１０４は、広告表示位置変更画面３００を表示させるための操作がユーザにより行われたか否かを判定する（ステップＳ１１１）。広告表示位置変更画面３００を表示させるための操作が行われた場合（ステップＳ１１１：ＹＥＳ）、ボタン操作受付部１１０４は、動画が投稿済みであり且つ広告商品が選択済みであるか否かを判定する（ステップＳ１１２）。動画が投稿済みであり且つ広告商品が選択済みである場合（ステップＳ１１２：ＹＥＳ）、広告表示位置変更部１１１１は、後述する広告表示位置変更ＵＩ処理を実行する（ステップＳ１１３）。ステップＳ１１３が終わると、処理はステップＳ１０１に進む。一方、動画が投稿済みではないか又は広告商品が選択済みではない場合（ステップＳ１１２：ＮＯ）、処理はステップＳ１０４に進む。
【０１０８】
ステップＳ１１１において、広告表示位置変更画面３００を表示させるための操作が行われなかった場合（ステップＳ１１１：ＮＯ）、ボタン操作受付部１１０４は、投稿ボタン１３０がユーザにより操作されたか否かを判定する（ステップＳ１１４）。投稿ボタン１３０が操作された場合（ステップＳ１１４：ＹＥＳ）、投稿部１１１２は、動画が撮像済みであるか否かを判定する（ステップＳ１１５）。動画が撮像済みではない場合（ステップＳ１１５：ＮＯ）、処理はステップＳ１０４に進む。
【０１０９】
一方、動画が撮像済みである場合（ステップＳ１１５：ＹＥＳ）、投稿部１１１２は、広告商品が選択済みであるか否かを判定する（ステップＳ１１６）。広告商品が選択済みである場合（ステップＳ１１６：ＹＥＳ）、投稿部１１１２は、記憶部１４に記憶された動画データと、ＲＡＭ１４ｃに記憶された広告商品ＩＤ及び広告表示位置情報をと、を含む投稿動画登録要求を、動画共有サーバ２へ送信する（ステップＳ１１７）。一方、広告商品が選択済みではない場合（ステップＳ１１６：ＮＯ）、投稿部１１１２は、記憶部１４に記憶された動画データを含む投稿動画登録要求を、動画共有サーバ２へ送信する（ステップＳ１１８）。ステップＳ１１７又はＳ１１８が終わると、動画投稿管理ＵＩ処理が終了する。
【０１１０】
図１３は、ユーザ端末１のシステム制御部１１による広告商品検索ＵＩ処理の一例を示すフローチャートである。図１３に示すように、商品情報表示部１１０６は、広告商品検索画面２００を表示部１８に表示する（ステップＳ２０１）。次いで、商品情報表示部１１０６は、ユーザにより検索条件が入力されたか否かを判定する（ステップＳ２０２）。検索条件が入力された場合（ステップＳ２０２：ＹＥＳ）、商品情報表示部１１０６は、入力された検索条件をＲＡＭ１４ｃに記憶させて（ステップＳ２０３）、処理をステップＳ２０２に進める。
【０１１１】
一方、検索条件が入力されなかった場合（ステップＳ２０２：ＮＯ）、商品情報表示部１１０６は、ユーザにより検索ボタン２２０が操作されたか否かを判定する（ステップＳ２０４）。検索ボタン２２０が操作された場合（ステップＳ２０４：ＹＥＳ）、商品情報表示部１１０６は、入力された検索条件を含む検索要求を、電子商店街サーバ３へ送信する（ステップＳ２０５）。次いで、商品情報表示部１１０６は、電子商店街サーバ３から検索結果リストを受信する。そして、商品情報表示部１１０６は、検索結果リストに含まれる商品情報２３１を含む商品一覧２３０を、広告商品検索画面２００に表示する（ステップＳ２０６）。ステップＳ２０６が終わると、処理はステップＳ２０２に進む。
【０１１２】
一方、検索ボタン２２０が操作されなかった場合（ステップＳ２０４：ＮＯ）、広告商品選択受付部１１０７は、商品一覧２３０から何れかの商品の商品情報２３１がユーザにより選択されたか否かを判定する（ステップＳ２０７）。商品情報２３１が選択されなかった場合（ステップＳ２０７：ＮＯ）、処理はステップＳ２０２に進む。一方、商品情報２３１が選択された場合（ステップＳ２０７：ＹＥＳ）、広告商品選択受付部１１０７は、選択された商品情報２３１が対応する商品の広告商品ＩＤを、ＲＡＭ１４ｃに記憶させる（ステップＳ２０８）。次いで、広告商品選択受付部１１０７は、広告表示位置情報を設定する（ステップＳ２０９）。例えば、広告商品選択受付部１１０７は、広告表示位置情報を、予め定められた座標に設定してもよい。ステップＳ２０９が終わると、広告商品検索ＵＩ処理が終了する。
【０１１３】
。
図１４は、ユーザ端末１のシステム制御部１１による広告表示位置変更ＵＩ処理の一例を示すフローチャートである。図１４に示すように、動画再生部１１１１は、広告表示位置変更画面３００を表示させる。また、動画再生部１１０９は、撮像された動画を動画領域３１０に表示して、この動画の再生を開始する（ステップＳ３０１）。次いで、広告表示部１１１０は、ＲＡＭ１４ｃに記憶された広告商品ＩＤを含む広告要求を電子商店街サーバ３へ送信する（ステップＳ３０２）。次いで、広告表示部１１１０は、電子商店街サーバ３から広告コンテンツを受信する（ステップＳ３０３）。次いで、広告表示部１１１０は、ＲＡＭ１４ｃに記憶された広告表示位置情報により示される位置に、広告領域３２０を表示させ、この広告領域３２０内に広告コンテンツを表示する（ステップＳ３０４）。
【０１１４】
次いで、広告表示位置変更部１１１１は、ユーザの操作による広告領域３２０の移動操作が検出されたか否かを判定する（ステップＳ３０５）。広告領域３２０の移動操作が検出された場合（ステップＳ３０５：ＹＥＳ）、広告表示位置変更部１１１１は、移動操作に応じて、広告表示位置情報を変更する（ステップＳ３０６）。そして、広告表示部１１１０は、変更後の広告表示位置情報に従って広告領域３２０を移動させ、移動後の広告領域３２０内に広告コンテンツを表示する（ステップＳ３０４）。
【０１１５】
一方、広告領域３２０の移動操作が検出されなかった場合（ステップＳ３０５：ＮＯ）、広告表示位置変更部１１１１は、広告表示位置情報を確定するための操作がユーザにより行われたか否かを判定する（ステップＳ３０７）。広告表示位置情報を確定するための操作が行われなかった場合（ステップＳ３０７：ＮＯ）、処理はステップＳ３０５に進む。一方、広告表示位置情報を確定するための操作が行われた場合（ステップＳ３０７：ＹＥＳ）、広告表示位置変更ＵＩ処理が終了する。
【０１１６】
図１５は、ユーザ端末１のシステム制御部１１による投稿動画再生ＵＩ処理の一例を示すフローチャートである。例えば、ユーザにより何れかの投稿動画が選択された場合に、投稿動画再生ＵＩ処理が実行されてもよい。
【０１１７】
図１５に示すように、動画再生部１１０９は、投稿動画再生画面４００を表示部１８に表示するとともに、選択された投稿動画の動画ＩＤを含む動画要求を、動画共有サーバ２へ送信する（ステップＳ４０１）。次いで、動画再生部１１０９は、動画共有サーバ２から送信されてきた投稿動画の動画データを受信しながら、投稿動画の再生を開始する（ステップＳ４０２）。次いで、広告表示部１１１０は、動画共有サーバ２から、ユーザにより選択された投稿動画の動画ＩＤに関連付けて動画ＤＢ２４ａに記憶された広告商品ＩＤ及び広告表示位置情報を受信する（ステップＳ４０３）。次いで、広告表示部１１１０は、受信された広告商品ＩＤを含む広告要求を、電子商店街サーバ３へ送信する（ステップＳ４０４）。次いで、広告表示部１１１０は、電子商店街サーバ３から送信されてきた広告コンテンツを受信する（ステップＳ４０５）。次いで、広告表示部１１１０は、広告表示位置情報により示される位置に、広告領域４２０を表示させ、この広告領域４２０内に広告コンテンツを表示する（ステップＳ４０６）。
【０１１８】
次いで、広告表示部１１１０は、広告領域４２０内に表示された広告コンテンツがユーザにより選択されたか否かを判定する（ステップＳ４０７）。広告コンテンツが選択された場合（ステップＳ４０７：ＹＥＳ）、広告表示部１１１０は、商品画面表示処理を実行する（ステップＳ４０８）。商品画面表示処理において、システム制御部１１は、広告コンテンツによる広告商品の商品画面を表示させる。また、システム制御部１１は、商品画面におけるユーザの操作に応じて、広告商品の購入手続きを行うための処理を実行する。これに応じて、電子商店街サーバ３は、購入履歴ＤＢ３４ｄに購入ログを記録させる。また、アフィリエイト管理サーバ４は、再生されている投稿動画の投稿者に対して報酬を付与するための処理を実行する。或いは、ユーザが商品画面を消去する操作を行うと、商品画面表示処理は終了する。ステップＳ４０８が終わると、処理はステップＳ４０７に進む。
【０１１９】
一方、広告コンテンツが選択された場合（ステップＳ４０７：ＮＯ）、動画再生部１１０９は、投稿動画の再生が終了したか否かを判定する（ステップＳ４０９）。投稿動画の再生が終了していない場合（ステップＳ４０９：ＮＯ）、処理はステップＳ４０７に進む。一方、投稿動画の再生が終了した場合（ステップＳ４０９：ＹＥＳ）、投稿動画再生ＵＩ処理が終了する。
【０１２０】
以上説明したように、本実施形態によれば、ユーザ端末１が、撮像ボタン１２０、投稿ボタン１３０及び商品選択ボタン１４０を表示する。ここで、ユーザ端末１が、投稿ボタン１３０が操作される前に、撮像ボタン１２０の表示期間と商品選択ボタン１４０の表示期間とを重複させる。また、ユーザ端末１が、撮像ボタン１２０の表示期間と商品選択ボタン１４０の表示期間とが重複している間に、撮像ボタン１２０及び商品選択ボタン１４０それぞれに対する操作を受け付ける。従って、動画の投稿者は、先に撮像ボタン１２０を操作して動画を撮像した後に、商品選択ボタン１４０を操作して、広告の対象となる商品を選択することができる。また、投稿者は、先に商品選択ボタン１４０を操作して広告の対象となる商品を選択した後に、撮像ボタン１２０を操作して、動画を撮像することも可能である。従って、投稿する動画とその動画とともに表示される広告の対象となる商品とを決める際の自由度を投稿者に与えることができる。
【０１２１】
また、ユーザ端末１が、投稿ボタン１３０が操作される前に、撮像ボタン１２０に対する操作及び商品選択ボタン１４０に対する操作の何れもが受け付けられた場合、撮像された動画と、選択された商品を識別する商品ＩＤと、を関連付けてもよい。この場合、投稿ボタン１３０が操作された場合に、互いに関連付けられている動画と商品ＩＤとを送信すればよいので、投稿処理が簡略となる。
【０１２２】
また、ユーザ端末１が、撮像ボタン１２０が操作されることに応じて撮像された動画を動画領域３１０に表示してもよい。また、ユーザ端末１が、商品選択ボタン１４０が操作されることに応じて選択された商品の広告を広告領域３２０に表示してもよい。ここで、ユーザ端末１が、広告領域３２０を動画領域３１０に重畳させてもよい。この場合、投稿者は、他のユーザが見ることになる、撮像した動画と選択した商品の広告とが重畳した状態のこれらの表示イメージを確認することができる。
【０１２３】
また、ユーザ端末１が、動画領域３１０に対する広告領域３２０の位置の変更操作を受け付けてもよい。また、ユーザ端末１が、変更操作が受け付けられたことに応じて、広告領域３２０の位置を変更し、撮像された動画が投稿されて別のユーザ端末１によりその動画が動画領域４１０に表示される際における広告領域４２０の位置を、変更後の位置に設定してもよい。この場合、動画内における広告の表示位置を、投稿者が望む位置に変更することができる。
【０１２４】
また、ユーザ端末１が、別のユーザ端末１から投稿された動画を動画領域４１０に表示してもよい。また、ユーザ端末１が、その動画とともに表示される広告の対象として別のユーザ端末１において選択された商品の広告を広告領域４２０に表示してもよい。ここで、ユーザ端末１が、広告領域４２０を動画領域４１０に重畳させてもよい。この場合、他のユーザにより投稿された動画に重畳して広告が表示されるので、動画を視聴するユーザに広告を選択させやすくなる。
【０１２５】
また、投稿される動画とともに表示される広告は、動画の投稿者に対して報酬が付与される成果報酬型広告であってもよい。また、ユーザ端末１が、商品選択ボタン１４０に対する操作が受け付けられた場合、成果報酬型広告の対象である複数の商品のうち、投稿される動画とともに表示される広告の対象の候補となる商品に関する商品情報２３１を表示してもよい。また、ユーザ端末１が、商品情報２３１が表示された商品のうち何れかの商品の選択を受け付けてもよい。この場合、動画とともに表示される成果報酬型広告の対象となる商品の候補に関する情報を見た上で、投稿者は広告の対象を選択することができる。そのため、投稿者が、報酬を考慮して商品を選択することができる。
【０１２６】
［２．第２実施形態］
次に、図１６を参照して、第２実施形態について説明する。本実施形態においては、所定電子商店街における売上数に基づいて、広告商品の候補が提示される。
【０１２７】
具体的に、広告商品検索画面２００において、ユーザ端末１の商品情報表示部１１０６は、成果報酬型広告の対象である複数の商品のうち、所定電子商店街における売上数が相対的に大きい商品の商品情報２３１を表示してもよい。この場合の売上数は、例えば、所定期間内において、商品が購入された回数であってもよいし、購入された商品の個数であってもよい。成果報酬型広告の対象である複数の商品は、例えば、ユーザにより指定された検索条件に合致する商品に含まれてもよい。
【０１２８】
電子商店街サーバ３の商品情報供部３１０２は、所定電子商店街における売上数が相対的に大きい商品の商品情報２３１を含む検索結果リストをユーザ端末１へ送信する。電子商店街サーバ３は、例えば各商品の売上数を定期的に計算して、所定のデータベースに売上数を記憶させておいてもよい。電子商店街サーバ３は、例えば、ユーザにより指定された検索条件に合致する商品を売上数でソートして、売上数が高い商品であるほどその商品情報が上位に表示されるように、検索結果リストをユーザ端末１へ送信してもよい。
【０１２９】
図１６は、電子商店街サーバ３のシステム制御部３１による広告商品検索処理の一例を示すフローチャートである。広告商品検索処理は、図１３に示す広告商品選択ＵＩ処理のステップＳ２０３において、ユーザ端末１から検索要求を電子商店街サーバ３が受信したときに実行される。システム制御部３１は、電子商店街サーバプログラムに含まれるプログラムコードに従って、広告商品検索処理を実行する。
【０１３０】
図１６に示すように、商品検索部３１０１は、広告の対象とされる商品のうち、検索要求に含まれる検索条件に合致する商品の商品情報２３１を検索する。例えば、商品検索部３１０１は、検索条件に合致する商品の商品ＩＤを商品ＤＢ３４ｂから検索する。商品検索部３１０１は、検索された商品ＩＤの中から、広告ＤＢ３４ｃに広告ＩＤが関連付けて記憶されている商品ＩＤを抽出する。電子商店街サーバ３は、抽出した商品ＩＤに対応する商品情報２３１を商品ＤＢ３４ｂから取得する。次いで、商品検索部３１０１は、検索された商品情報から、商品の売上数が大きい順に所定数の商品情報２３１を選択する（ステップＳ５０２）。次いで、商品情報提供部３１０２は、選択された商品情報２３１を含む検索結果リストを生成して、この検索結果リストをユーザ端末１へ送信する（ステップＳ５０３）。検索結果リストにおいて、商品情報は売上数でソートされている。ステップＳ５０３が終わると、広告商品検索処理が終了する。
【０１３１】
以上説明したように、本実施形態によれば、電子商店街において、相対的に売れやすい商品の商品情報２３１が表示されるので、投稿者は、報酬を得やすい商品を選択することができる。
【０１３２】
［３．第３実施形態］
次に、図１６を参照して、第３実施形態について説明する。本実施形態においては、動画関連広告による成果達成率に基づいて、広告商品の候補が提示される。
【０１３３】
具体的に、広告商品検索画面２００において、ユーザ端末１の商品情報表示部１１０６は、成果報酬型広告の対象である複数の商品のうち、動画関連広告による成果達成率が相対的に高い商品の商品情報２３１を表示してもよい。動画関連広告は、動画広告及び投稿された動画とともに表示される広告の少なくとも何れか一方を含む。動画広告は、電子商店街で再生された広告を含んでもよいし、他のウェブサイトで再生された広告を含んでもよい。投稿された動画とともに表示された広告は、動画共有サイトにおいて、動画とともに表示された広告を含む。成果達成は、例えば商品の購入であってもよい。従って、成果達成率は、例えば所定期間におけるＣＶＲ（コンバージョンレート）であってもよい。或いは、成果達成は広告の選択であって、成果達成率はＣＴＲ（クリックスルーレート）であってもよい。
【０１３４】
電子商店街サーバ３の商品情報供部３１０２は、動画関連広告による成果達成率が相対的に高い商品の商品情報２３１を含む検索結果リストをユーザ端末１へ送信してもよい。電子商店街サーバ３は、例えば各商品の成果達成率を定期的に計算して、所定のデータベースに成果達成率を記憶させておいてもよい。電子商店街サーバ３は、例えば、ユーザにより指定された検索条件に合致する商品を成果達成率でソートして、成果達成率が高い商品であるほどその商品情報が上位に表示されるように、検索結果リストをユーザ端末１へ送信してもよい。
【０１３５】
図１７は、電子商店街サーバ３のシステム制御部３１による広告商品検索処理の一例を示すフローチャートである。図１７において、図１６と同様のステップについては同様の符号が付されている。
【０１３６】
図１７に示すように、商品検索部３１０１は、検索要求に含まれる検索条件に合致する商品の商品情報２３１を、商品ＤＢ３４ｂから検索する（ステップＳ５０１）。次いで、商品検索部３１０１は、検索された商品情報から、動画関連広告によるＣＶＲが高い順に所定数の商品情報２３１を選択する（ステップＳ５１１）。次いで、商品情報提供部３１０２は、選択された商品情報２３１を含む検索結果リストを生成して、この検索結果リストをユーザ端末１へ送信する（ステップＳ５０３）。ステップＳ５０３が終わると、広告商品検索処理が終了する。
【０１３７】
以上説明したように、本実施形態によれば、動画広告が表示される場合に、又は動画とともに広告が表示される場合に、売れやすい商品を選択することができる。
【０１３８】
［４．第４実施形態］
次に、図１８及び図１９を参照して、第４実施形態について説明する。本実施形態において、取り扱う商品の広告が電子商店街に掲載される各店舗により、動画共有サイトにおいて、その店舗が取り扱う商品の広告が、投稿された動画とともに表示されることを許可するか否かを設定することができる。
【０１３９】
本実施形態において、電子商店街サーバ３の記憶部１４には、広告掲載許諾ＤＢ３４ｅが更に記憶される。図１８は、広告掲載許諾ＤＢ３４ｅに記憶される情報の一例を示す図である。広告掲載許諾ＤＢ３４ｅは、動画共有サイトにおいて、投稿された動画とともに広告が表示されることを許可するか否かが、取り扱う商品の広告が電子商店街に掲載される店舗ごとに記憶される。具体的に、広告掲載許諾ＤＢ３４ｅには、店舗ＩＤ及び許諾フラグが関連付けて記憶される。店舗ＩＤは、許諾するか否かを設定した店舗を示す。許諾フラグは、投稿された動画とともに広告が表示されることが、その広告に係る商品の提供者である店舗により許諾されているか否かを示す。ＴＲＵＥに設定された許諾フラグは、許諾されていることを示す。ＦＡＬＳＥに設定された許諾フラグは、許諾されていないことを示す。
【０１４０】
例えば、店舗端末５が、電子商店街における広告を申し込むための画面を表示しているときに、店舗の運営者は、動画共有サイトにおける広告の掲載を許諾するか否かを選択することが可能であってもよい。電子商店街サーバ３は、運営者による選択に応じて許諾フラグを設定して、広告掲載許諾ＤＢ３４ｅに店舗ＩＤ及び許諾フラグを記憶させる。
【０１４１】
電子商店街サーバ３の商品検索部３１０１は、成果報酬型広告の対象である複数の商品に含まれる少なくとも幾つかの商品それぞれについて許諾フラグを取得する。商品情報提供部３１０２は、成果報酬型広告の対象である複数の商品のうち、広告を表示することが許諾されていると許諾フラグにより示される商品の商品情報２３１をユーザ端末１へ送信する。
【０１４２】
広告商品検索画面２００において、ユーザ端末１の商品情報表示部１１０６は、成果報酬型広告の対象である複数の商品のうち、広告を表示することが許諾されていると許諾フラグにより示される商品の商品情報２３１を表示する。
【０１４３】
図１９は、電子商店街サーバ３のシステム制御部３１による広告商品検索処理の一例を示すフローチャートである。図１９において、図１６と同様のステップについては同様の符号が付されている。
【０１４４】
図１９に示すように、商品検索部３１０１は、検索要求に含まれる検索条件に合致する商品の商品情報２３１を、商品ＤＢ３４ｂから検索する（ステップＳ５０１）。次いで、商品検索部３１０１は、検索された各商品の商品情報２３１について、商品情報２３１に含まれる店舗ＩＤに関連付けられた許諾フラグを、広告掲載許諾ＤＢ３４ｅから取得する（ステップＳ５２１）。次いで、商品検索部３１０１は、検索された商品情報２３１から、許諾フラグがＴＲＵＥである商品情報２３１を抽出する（ステップＳ５２２）。次いで、商品情報提供部３１０２は、抽出された商品情報２３１を含む検索結果リストを生成して、この検索結果リストをユーザ端末１へ送信する（ステップＳ５０３）。ステップＳ５０３が終わると、広告商品検索処理が終了する。
【０１４５】
以上説明したように、本実施形態によれば、店舗により広告の表示が許可された商品から、投稿される動画とともに表示される広告の対象となる商品を選択することができる。
【０１４６】
［５．第５実施形態］
次に、図２０を参照して、第５実施形態について説明する。本実施形態においては、動画関連広告による成果達成率と、非動画関連広告による成果達成率と、に基づいて、広告商品の候補が提示される。
【０１４７】
具体的に、電子商店街サーバ３の商品検索部３１０１は、商品を区分するための複数のカテゴリそれぞれについて、動画関連広告による成果達成率と、非動画関連広告による成果達成率と、を取得する。非動画関連広告は、動画広告及び投稿された動画とともに表示される広告の何れとも異なる広告である。非動画関連広告の例として、リスティング広告、動画が再生されないウェブページにおけるバナー広告等が挙げられる。第３実施形態の場合と同様に、成果達成率は、例えばＣＶＲであってもよいし、ＣＴＲであってもよい。電子商店街サーバ３は、例えば各カテゴリにおける商品について、動画関連広告による成果達成率及び非動画関連広告による成果達成率を定期的に計算して、所定のデータベースにそれぞれの成果達成率を記憶させておいてもよい。
【０１４８】
電子商店街サーバ３の商品情報提供部３１０２は、成果報酬型広告の対象である複数の商品のうち、動画関連広告による成果達成率が、非動画関連広告による成果達成率よりも高いカテゴリに属する商品の商品情報２３１をユーザ端末１へ送信してもよい。
【０１４９】
広告商品検索画面２００において、ユーザ端末１の商品情報表示部１１０６は、成果報酬型広告の対象である複数の商品のうち、動画関連広告による成果達成率が、非動画関連広告による成果達成率よりも高いカテゴリに属する商品の商品情報２３１を表示する。動画においては、画像に動きが加わる。そのため、動画とともに広告が表示されることで、テキストや静止画のみの広告と比較した場合に、売れやすくなるカテゴリの商品や然程売れやすくはならないカテゴリの商品等が生じる場合がある。売れやすくなる商品を広告商品の候補として提示することで、広告効果を高める広告商品をユーザが選択することができる。
【０１５０】
図２０は、電子商店街サーバ３のシステム制御部３１による広告商品検索処理の一例を示すフローチャートである。図２０において、図１６と同様のステップについては同様の符号が付されている。
【０１５１】
図２０に示すように、商品検索部３１０１は、検索要求に含まれる検索条件に合致する商品の商品情報２３１を、商品ＤＢ３４ｂから検索する（ステップＳ５０１）。次いで、商品検索部３１０１は、検索された各商品の商品情報２３１について、商品情報２３１に含まれるカテゴリＩＤに関連付けられた動画関連広告によるＣＶＲ及び非動画関連広告によるＣＶＲを、所定のデータベースから取得する（ステップＳ５３１）。次いで、商品検索部３１０１は、検索された商品情報２３１から、動画関連広告によるＣＶＲが非動画関連広告によるＣＶＲよりも高い商品情報２３１を抽出する（ステップＳ５３２）。次いで、商品情報提供部３１０２は、抽出された商品情報２３１を含む検索結果リストを生成して、この検索結果リストをユーザ端末１へ送信する（ステップＳ５０３）。ステップＳ５０３が終わると、広告商品検索処理が終了する。
【０１５２】
以上説明したように、本実施形態によれば、動画とともに広告が表示された場合に、動画のない広告よりも売れやすい商品を選択することができる。
【０１５３】
［６．第６実施形態］
次に、図２１を参照して、第６実施形態について説明する。本実施形態においては、フォロワーの属性に基づいて、広告商品の候補が提示される。
【０１５４】
具体的に、電子商店街サーバ３の商品検索部３１０１は、検索要求を送信してきたユーザ端末１を利用するユーザのフォロワーの属性を取得する。上述したように、フォロワーは、特定の投稿者により動画が投稿された場合に、投稿された動画に関する情報を受け取ることができるように、フォロワーとしてユーザ自身を登録したユーザである。取得される属性は、例えば、性別、年齢、年代、住所、ユーザ属性情報等の少なくとも何れか１つであってもよい。これらの属性は、会員ＤＢ３４ａから取得可能である。なお、動画共有サイトにユーザの属性が登録される場合、商品検索部３１０１は、動画共有サイトから属性を取得してもよい。
【０１５５】
電子商店街サーバ３の商品情報提供部３１０２は、成果報酬型広告の対象である複数の商品のうち、商品検索部３１０１により取得された属性に応じた商品の商品情報２３１をユーザ端末１へ送信する。属性に応じた商品は、例えば、商品ＤＢ３４ｂに記憶されている適応ユーザ属性情報、商品ＩＤ、カテゴリＩＤ、店舗ＩＤ等が、フォロワーの属性と合致する商品であってもよい。
【０１５６】
広告商品検索画面２００において、ユーザ端末１の商品情報表示部１１０６は、成果報酬型広告の対象である複数の商品のうち、そのユーザ端末１を利用するユーザのフォロワーの属性に応じた商品の商品情報２３１を表示する。
【０１５７】
図２１は、電子商店街サーバ３のシステム制御部３１による広告商品検索処理の一例を示すフローチャートである。図２１において、図１６と同様のステップについては同様の符号が付されている。
【０１５８】
図２１に示すように、商品検索部３１０１は、検索要求に含まれる検索条件に合致する商品の商品情報２３１を、商品ＤＢ３４ｂから検索する（ステップＳ５０１）。次いで、商品検索部３１０１は、検索要求を送信してきたユーザ端末１を利用するユーザのユーザＩＤに関連付けてフォロワーＤＢ２４ｂに記憶されたフォロワーリストを、例えば動画共有サーバ２から取得する（ステップＳ５４１）。或いは、ユーザ端末１が動画共有サーバ２からフォロワーリストを取得して、電子商店街サーバ３へ転送してもよい。次いで、商品検索部３１０１は、フォロワーリストに含まれる各フォロワーのユーザＩＤを、電子商店街におけるユーザＩＤに変換する。例えば、同一ユーザの動画共有サイトにおけるユーザＩＤと電子商店街におけるユーザＩＤとが予め紐付けされて、所定のデータベースに記憶されている。商品検索部３１０１は、変換されたユーザＩＤに関連付けられた属性を会員ＤＢ３４ａから取得する（ステップＳ５４２）。そして、商品検索部３１０１は、全フォロワーのうち、所定割合以上のフォロワーが有する属性を特定する。次いで、商品検索部３１０１は、検索された商品情報２３１から、所定割合以上のフォロワーが有する属性に応じた商品の商品情報２３１を抽出する（ステップＳ５４３）。次いで、商品情報提供部３１０２は、抽出された商品情報２３１を含む検索結果リストを生成して、この検索結果リストをユーザ端末１へ送信する（ステップＳ５０３）。ステップＳ５０３が終わると、広告商品検索処理が終了する。
【０１５９】
以上説明したように、本実施形態によれば、動画共有サイトを利用するユーザのうち、投稿者が投稿する動画を視聴する蓋然性が相対的に高いユーザの属性に応じた商品の商品情報２３１が表示されるので、投稿者は、報酬を得やすい商品を選択することができる。
【０１６０】
［７．第７実施形態］
次に、図２２を参照して、第７実施形態について説明する。本実施形態においては、撮像された動画の解析結果に基づいて、広告商品の候補が提示される。
【０１６１】
具体的に、電子商店街サーバ３の商品検索部３１０１は、ユーザ端末１から、撮像された動画を取得してもよい。商品検索部３１０１は、動画に対して画像解析及び音声解析のうち少なくとも何れか一方を行う。解析には、例えばパターン認識が用いられてもよい。パターン認識は、例えば、画像認識、音声認識、及び文字認識の少なくとも一つが含まれてもよい。商品検索部３１０１は、画像解析結果及び音声解析結果の少なくとも何れか一方を示す解析情報を生成する。解析情報は、例えば動画内のオブジェクトの特徴ベクトルを含んでもよい。この特徴ベクトルは、オブジェクトの形状、色彩及び模様の少なくとも何れか一つの特徴を示す情報であってもよい。また、解析情報は、動画内のオブジェクトの認識結果として、そのオブジェクトのクラスを示す文字情報（例えば、カテゴリ名、商品名、色彩名、模様名等）であってもよい。また、解析情報は、動画内で発せられた言葉を示す文字情報を含んでもよい。また、解析情報は、動画内に表示された文字列、又は動画編集により動画に追加された文字列を示す文字情報を含んでもよい。なお、ユーザ端末１が動画解析及び解析情報の生成を行ってもよい。
【０１６２】
商品検索部３１０１は、成果報酬型広告の対象である複数の商品のうち少なくとも幾つかの商品それぞれについて、商品に関する画像及び言葉の少なくとも何れか一方に関する商品関連情報と、取得された解析情報との間の適合度を算出する。商品関連情報は、例えば商品の画像内におけるオブジェクトの特徴ベクトルを含んでもよい。例えば、電子商店街サーバ３は、商品ＤＢ３４ｂに商品の画像が記憶されるたびに、この画像から特徴ベクトルを生成して、特徴ベクトルを商品ＤＢ３４ｂに記憶しておいてもよい。また、商品関連情報は、商品名、カテゴリ名、その他商品に関連付けられたキーワード等を含んでもよい。適合度は、商品関連情報と解析情報との一致率又は類似度であってもよい。類似度として、例えばコサイン類似度等が用いられてもよい。
【０１６３】
電子商店街サーバ３の商品情報提供部３１０２は、少なくとも幾つかの商品のうち、商品検索部３１０１により算出された適合度が相対的に高い商品の商品情報２３１をユーザ端末１へ送信する。
【０１６４】
広告商品検索画面２００において、ユーザ端末１の商品情報表示部１１０６は、成果報酬型広告の対象である複数の商品のうち、少なくとも幾つかの商品のうち、商品関連情報と解析情報との間の適合度が相対的に高い商品の商品情報２３１を表示する。この適合度が相対的に高い動画と商品とは、関連性が相対的に高いものと考えられる。例えば、動画でその商品又はその商品に類似する商品が紹介されている場合、その動画には、そうした商品が写っていたり、出演者が商品について語っていたり、商品のロゴや説明が動画中に表示されていたりする場合がある。そのような商品の情報が表示されることで、例えば、売れやすい商品の選択が可能となったり、ユーザによる商品検索の負担が軽減されたりする。
【０１６５】
図２２は、電子商店街サーバ３のシステム制御部３１による広告商品検索処理の一例を示すフローチャートである。図２２において、図１６と同様のステップについては同様の符号が付されている。
【０１６６】
図２２に示すように、商品検索部３１０１は、検索要求に含まれる検索条件に合致する商品の商品情報２３１を、商品ＤＢ３４ｂから検索する（ステップＳ５０１）。次いで、商品検索部３１０１は、ユーザ端末１から撮像された動画のデータを受信する（ステップＳ５５１）。次いで、商品検索部３１０１は、受信された動画を解析して、解析結果としての特徴ベクトル又は文字情報を生成する（ステップＳ５５２）。次いで、商品検索部３１０１は、検索された商品のそれぞれについて、特徴ベクトル又は商品名やカテゴリ名等を示す文字情報を、商品ＤＢ３４ｂから取得する（ステップＳ５５３）。次いで、商品検索部３１０１は、ステップＳ５５３で取得された情報とステップＳ５５４で取得された情報との間の適合度を算出する（ステップＳ５５４）。次いで、商品検索部３１０１は、検索された商品情報２３１から、適合度が高い順に所定数の商品情報２３１を選択する（ステップＳ５５５）。次いで、商品情報提供部３１０２は、選択された商品情報２３１を含む検索結果リストを生成して、この検索結果リストをユーザ端末１へ送信する（ステップＳ５０３）。ステップＳ５０３が終わると、広告商品検索処理が終了する。
【０１６７】
以上説明したように、本実施形態によれば、撮像された動画の内容との適合性又は関連性が相対的に高い商品の商品情報２３１が表示される。従って、動画と広告との相乗効果によって売れやすい商品を選択することができる。
【０１６８】
なお、電子商店街サーバ３は、第２実施形態〜第７実施形態において用いられた条件のうち少なくとも２つの条件の組み合わせを用いて、ユーザ端末１により商品情報２３１が表示される商品を決定し、又は商品情報２３１の表示の優先度を決定してもよい。
【０１６９】
［８．第８実施形態］
次に、第８実施形態について説明する。本実施形態において、ユーザ端末１の商品情報表示部１１０６は、投稿ボタン１３０が操作される前に、撮像ボタン１２０に対する操作及び商品選択ボタン１４０に対する操作の何れもが受け付けられた場合、撮像された動画の解析結果を示す解析情報と、選択された広告商品の商品関連情報と、の間の適合性を示す適合性情報を表示する。適合性情報は、適合性を、例えば百分率、色彩、アイコン、星の数、バーの長さ又はメッセージ等で示す情報であってもよい。或いは、適合性が所定値未満である場合に、撮像された動画と選択された広告商品とが合わない旨のメッセージが、適合性情報として表示されてもよい。解析情報、商品関連情報、及び適合性の意義及び取得方法については、第７実施形態の場合と同様であってもよい。
【０１７０】
以上説明したように、本実施形態によれば、投稿者は、適合性情報に基づいて、報酬を得やすくするために、動画の再撮像又は商品の再選択を行うか、或いはそのままでよいかを判断することができる。なお、本実施形態は、第２実施形態〜第７実施形態の少なくとも何れかと組み合わせて実施されてもよい。
【符号の説明】
【０１７１】
１  ユーザ端末
２  動画共有サーバ
３  電子商店街サーバ
４  アフィリエイト管理サーバ
５  店舗端末
１１  システム制御部
１２  システムバス
１３  入出力インタフェース
１４  記憶部
１５  通信部
１６  入力部
１７  表示部
１８  撮像部
１９  集音部
２１  システム制御部
２２  システムバス
２３  入出力インタフェース
２４  記憶部
２４ａ  動画ＤＢ
２４ｂ  フォロワーＤＢ
２５  通信部
３１  システム制御部
３２  システムバス
３３  入出力インタフェース
３４  記憶部
３４ａ  会員ＤＢ
３４ｂ  商品ＤＢ
３４ｃ  広告ＤＢ
３４ｄ  購入履歴ＤＢ
３４ｅ  広告掲載許諾ＤＢ
３５  通信部
１１０１  撮像ボタン表示部
１１０２  投稿ボタン表示部
１１０３  広告商品選択ボタン表示部
１１０４  ボタン操作受付部
１１０５  撮像制御部
１１０６  商品情報表示部
１１０７  広告商品選択受付部
１１０８  関連付け部
１１０９  動画再生部
１１１０  広告表示部
１１１１  広告表示位置変更部
１１１２  投稿部
２１０１  動画登録部
２１０２  動画配信部
３１０１  商品検索部
３１０２  商品情報提供部
３１０３  広告配信部
ＮＷ  ネットワーク
Ｓ  広告システム
【要約】      （修正有）【課題】投稿する動画とその動画とともに表示される広告の対象となる商品とを決める際の自由度を投稿者に与えるシステムを提供する。【解決手段】広告システムにおいてユーザ端末のシステム制御部１１は、動画の撮像を指示するために操作される撮像操作部と、撮像された動画の投稿を指示するために操作される投稿操作部と、投稿される動画が表示される際にその動画とともに表示される広告の対象となる商品を選択するために操作される商品選択操作部と、を表示する。ユーザ端末は、投稿操作部が操作される前に、撮像操作部の表示期間と商品選択操作部の表示期間とを重複させ、撮像操作部の表示期間と商品選択操作部の表示期間とが重複している間に、撮像操作部及び商品選択操作部それぞれに対する操作を受け付ける。【選択図】図７【図１】
0006799655.tif 000002
【図２】
0006799655.tif 000003
【図３】
0006799655.tif 000004
【図４】
0006799655.tif 000005
【図５】
0006799655.tif 000006
【図６】
0006799655.tif 000007
【図７】
0006799655.tif 000008
【図８】
0006799655.tif 000009
【図９】
0006799655.tif 000010
【図１０】
0006799655.tif 000011
【図１１】
0006799655.tif 000012
【図１２】
0006799655.tif 000013
【図１３】
0006799655.tif 000014
【図１４】
0006799655.tif 000015
【図１５】
0006799655.tif 000016
【図１６】
0006799655.tif 000017
【図１７】
0006799655.tif 000018
【図１８】
0006799655.tif 000019
【図１９】
0006799655.tif 000020
【図２０】
0006799655.tif 000021
【図２１】
0006799655.tif 000022
【図２２】
0006799655.tif 000023